(57)【要約】  本発明は、より良好な光学性能を有し、低コストでコンパクトな広角光学系、この広角光学系を備える撮像レンズ装置、モニタカメラおよびデジタル機器を提供する。本発明の広角光学系１は、物体側より像側へ順に、負の光学的パワーを有する第１レンズ１１と、負の光学的パワーを有する第２レンズ１２と、正の光学的パワーを有する第３レンズ１３と、絞り１５と、正の光学的パワーを有する第４レンズ１４とから構成されて成り、第３および第４レンズ１３、１４の合成焦点距離をｆ３４とし、全系の焦点距離をｆとする場合に、条件式；３＜ｆ３４／ｆ＜１０を満たす。
2009066532.tif 000002
【特許請求の範囲】
【請求項１】
物体側より像側へ順に、負の光学的パワーを有する第１レンズと、負の光学的パワーを有する第２レンズと、正の光学的パワーを有する第３レンズと、絞りと、正の光学的パワーを有する第４レンズとから構成されて成り、下記（１）の条件式を満たすことを特徴とする広角光学系。
３＜ｆ３４／ｆ＜１０      ・・・（１）
ただし、
ｆ３４：第３レンズおよび第４レンズの合成焦点距離
ｆ：全系の焦点距離
【請求項２】
下記（２）の条件式を満たすことを特徴とする請求の範囲第１項に記載の広角光学系。
２．９＜ｆ３／ｆ＜３．６      ・・・（２）
ただし、
ｆ３：第３レンズの焦点距離
ｆ：全系の焦点距離
【請求項３】
下記（３）の条件式を満たすことを特徴とする請求の範囲第１項または請求の範囲第２項に記載の広角光学系。
２．１＜Ｄ１２／ｆ＜５      ・・・（３）
ただし、
Ｄ１２：第１レンズと第２レンズとの間における光軸上間隔
ｆ：全系の焦点距離
【請求項４】
下記（４）の条件式を満たすことを特徴とする請求の範囲第１項ないし請求の範囲第３項のいずれか１項に記載の広角光学系。
２．２＜｜ｆ２／ｆ｜＜３      ・・・（４）
ただし、
ｆ２：第２レンズの焦点距離
ｆ：全系の焦点距離
【請求項５】
下記（５）の条件式を満たすことを特徴とする請求の範囲第１項ないし請求の範囲第４項のいずれか１項に記載の広角光学系。
７．５＜｜ｆ１／ｆ｜＜１０      ・・・（５）
ただし、
ｆ１：第１レンズの焦点距離
ｆ：全系の焦点距離
【請求項６】
下記（６）の条件式を満たすことを特徴とする請求の範囲第１項ないし請求の範囲第５項のいずれか１項に記載の広角光学系。
２．８＜ｆ１／ｆ２＜４      ・・・（６）
ただし、
ｆ１：第１レンズの焦点距離
ｆ２：第２レンズの焦点距離
【請求項７】
下記（７）の条件式を満たすことを特徴とする請求の範囲第１項ないし請求の範囲第６項のいずれか１項に記載の広角光学系。
１．２＜｜ｆ１２／ｆ｜＜１．６      ・・・（７）
ただし、
ｆ１２：第１レンズおよび第２レンズの合成焦点距離
ｆ：全系の焦点距離
【請求項８】
下記（８）の条件式を満たすことを特徴とする請求の範囲第１項ないし請求の範囲第７項のいずれか１項に記載の広角光学系。
０．８８＜ｆ３／ｆ４＜１．５５      ・・・（８）
ただし、
ｆ３：第３レンズの焦点距離
ｆ４：第４レンズの焦点距離
【請求項９】
下記（９）の条件式を満たすことを特徴とする請求の範囲第１項ないし請求の範囲第８項のいずれか１項に記載の広角光学系。
２＜ｆ４／ｆ＜３            ・・・（９）
ただし、
ｆ４：第４レンズの焦点距離
ｆ：全系の焦点距離
【請求項１０】
下記（１０）の条件式を満たすことを特徴とする請求の範囲第１項ないし請求の範囲第９項のいずれか１項に記載の広角光学系。
９．５＜ｆ１２３／ｆ＜２３      ・・・（１０）
ただし、
ｆ１２３：第１レンズ、第２レンズおよび第３レンズの合成焦点距離
ｆ：全系の焦点距離
【請求項１１】
最も物体側のレンズは、ガラス製レンズであることを特徴とする請求の範囲第１項ないし請求の範囲第１０項のいずれか１項に記載の広角光学系。
【請求項１２】
下記（１１）の条件式を満たすことを特徴とする請求の範囲第１項ないし請求の範囲第１１項のいずれか１項に記載の広角光学系。
０．８５＜Ｄａ２／Ｒ２＜０．９５      ・・・（１１）
ただし、
Ｄａ２：最物体側レンズにおける像側面の最大有効半径
Ｒ２：最物体側レンズにおける像側面の近軸曲率半径
【請求項１３】
前記第２レンズは、少なくとも１面の非球面を有する樹脂材料製レンズであることを特徴とする請求の範囲第１項ないし請求の範囲第１２項のいずれか１項に記載の広角光学系。
【請求項１４】
下記（１２）および（１３）の条件式を満たすことを特徴とする請求の範囲第１項ないし請求の範囲第１３項のいずれか１項に記載の広角光学系。
Ｄｐ４／Ｒ４＞１      ・・・（１２）
ｄＺ４／Ｒ４＜−０．４      ・・・（１３）
ただし、
Ｄｐ４：第２レンズの像側面において、最大有効半径での面の変位量（面頂点からの光軸方向の距離）
Ｒ４：第２レンズにおける像側面の近軸曲率半径
ｄＺ４：第２レンズの像側面において、光軸からの高さが近軸曲率半径と等しくなる位置での非球面サグ量（球面量との差分）
【請求項１５】
半画角９０度の光束の主光線について、下記（１４）の条件式を満たすことを特徴とする請求の範囲第１項ないし請求の範囲第１４項のいずれか１項に記載の広角光学系。
−０．３＜Ｙｒ／２ｆ−１＜０．７      ・・・（１４）
ただし、
Ｙｒ：像面上での主光線位置（光軸からの距離）
ｆ：全系の焦点距離
【請求項１６】
下記（１５）の条件式を満たすことを特徴とする請求の範囲第１項ないし請求の範囲第１５項のいずれか１項に記載の広角光学系。
Ｙ’／ＴＬ＞０．１      ・・・（１５）
ただし、
Ｙ’：最大像高
ＴＬ：最物体側レンズ面の面頂点から像面までの光軸上距離（ただし、バックフォーカスは空気換算長）
【請求項１７】
下記（１６）の条件式を満たすことを特徴とする請求の範囲第１項ないし請求の範囲第１６項のいずれか１項に記載の広角光学系。
｜Ｅｐ｜／Ｌｂ＞２．２      ・・・（１６）
ただし、
Ｅｐ：最大像高主光線に対する射出瞳位置
Ｌｂ：バックフォーカス（空気換算長）
【請求項１８】
前記第１および第２レンズは、物体側に凸形状の負メニスカスレンズであり、前記第３レンズは、両凸の正レンズであり、前記絞りは、開口絞りであり、前記第４レンズは、両凸の正レンズであることを特徴とする請求の範囲第１項ないし請求の範囲第１７項のいずれか１項に記載の広角光学系。
【請求項１９】
前記第３レンズは、少なくとも１面の非球面を有する樹脂材料製レンズであることを特徴とする請求の範囲第１項ないし請求の範囲第１８項のいずれか１項に記載の広角光学系。
【請求項２０】
前記第４レンズは、少なくとも１面の非球面を有する樹脂材料製レンズであることを特徴とする請求の範囲第１項ないし請求の範囲第１９項のいずれか１項に記載の広角光学系。
【請求項２１】
請求の範囲第１項ないし請求の範囲第２０項のいずれか１項に記載の広角光学系を備え、前記広角光学系が所定の結像面上に被写体の光学像を形成可能な構成とされていることを特徴とする撮像レンズ装置。
【請求項２２】
所定位置に取り付けられ、取り付けられた位置周辺の所定領域の被写体を撮像するモニタカメラであって、請求の範囲第２１項に記載の撮像レンズ装置と、前記撮像レンズ装置により導かれた被写体の光学像を電気的な信号に変換する撮像素子とを備えることを特徴とするモニタカメラ。
【請求項２３】
請求の範囲第２１項に記載の撮像レンズ装置と、前記撮像レンズ装置により導かれた被写体の光学像を電気的な信号に変換する撮像素子と、前記撮像レンズ装置および前記撮像素子に被写体の静止画撮影および動画撮影の少なくとも一方の撮影を行わせる制御部とを備えることを特徴とするデジタル機器。
【請求項２４】
前記撮像素子の受光面上に形成される前記被写体の光学像における歪みを補正する画像処理部をさらに備えることを特徴とする請求の範囲第２３項に記載のデジタル機器。
【発明の詳細な説明】
【技術分野】
【０００１】
本発明は、広画角でコンパクトな広角光学系、特に、全画角９０度以上の超広角な超広角光学系に好適な広角光学系に関する。そして、本発明は、この広角光学系を備える撮像レンズ装置、ならびに、この撮像レンズ装置を搭載したモニタカメラおよびデジタル機器に関する。
【背景技術】
【０００２】
周囲の映像情報を少数のカメラで広範囲に撮像する場合、一般に、大きな撮影画角（広画角）を有する広角光学系が採用される。例えば、監視用や車載用等の用途では、このような広角光学系が利用されている。【０００３】
また、例えば、車両のバックモニタ用の車載カメラ等であれば、広画角であるばかりではなく、運転者の視界を遮らないという実用的な観点や車の美観の観点等から、よりコンパクトであることが要求されている。【０００４】
このような広角光学系は、例えば、特許文献１に開示されている。この特許文献１に開示の広角光学系では、４、５枚程度の少ないレンズ枚数で、超広角の場合に問題となるシェーディングを防止している。
【特許文献１】特開２００５−２２７４２６号公報
【発明の開示】
【発明が解決しようとする課題】
【０００５】
前記特許文献１に開示の広角光学系では、シェーディングの防止や幅広い温度環境下での結像位置の変化の抑制が達成されているが、光学系のコンパクト化に伴って各レンズの光学的パワーが、特に正レンズの光学的パワーが、強くなる。このため、共軸系および偏芯系共に製造誤差感度が高くなるから、コストアップや製品性能の劣化等を招いてしまう。【０００６】
本発明は、このような事情を鑑みてなされたものであり、その目的は、より良好な光学性能を有し、低コストでコンパクトな広角光学系、この広角光学系を備える撮像レンズ装置、ならびに、この撮像レンズ装置を搭載したモニタカメラおよびデジタル機器を提供することである。
【課題を解決するための手段】
【０００７】
本発明は、上記技術的課題を解決するために、以下のような構成を有する広角光学系、撮像レンズ装置、モニタカメラおよびデジタル機器を提供するものである。なお、以下の説明において使用されている用語は、本明細書においては、次の通り定義されているものとする。
（ａ）屈折率は、ｄ線の波長（５８７．５６ｎｍ）に対する屈折率である。
（ｂ）アッベ数は、ｄ線、Ｆ線（４８６．１３ｎｍ）、Ｃ線（６５６．２８ｎｍ）に対する屈折率を各々ｎｄ、ｎＦ、ｎＣ、アッベ数をνｄとした場合に、
νｄ＝（ｎｄ−１）／（ｎＦ−ｎＣ）
の定義式で求められるアッベ数νｄをいうものとする。
（ｃ）面形状に関する表記は、近軸曲率に基づいた表記である。
（ｄ）レンズについて、「凹」、「凸」または「メニスカス」という表記を用いた場合、これらは光軸近傍（レンズの中心付近）でのレンズ形状を表しているもの（近軸曲率に基づいた表記）とする。
（ｅ）複合型非球面レンズに用いる樹脂材料は、基板ガラス材料の付加的機能しかないため、単独の光学部材として扱わず、基板ガラス材料が非球面を有する場合と同等の扱いとし、レンズ枚数も１枚として取り扱うものとする。そして、レンズ屈折率も基板となっているガラス材料の屈折率とする。複合型非球面レンズは、基板となるガラス材料の上に薄い樹脂材料を塗布して非球面形状としたレンズである。【０００８】
本発明の一態様に係る広角光学系は、物体側より像側へ順に、負の光学的パワーを有する第１レンズと、負の光学的パワーを有する第２レンズと、正の光学的パワーを有する第３レンズと、絞りと、正の光学的パワーを有する第４レンズとから構成されて成り、下記（１）の条件式を満たすことを特徴とする。
３＜ｆ３４／ｆ＜１０      ・・・（１）
ただし、ｆ３４は、前記第３レンズおよび第４レンズの合成焦点距離であり、ｆは、本広角光学系の全系の焦点距離である。【０００９】
この構成では、第１ないし第４レンズが負・負・正・正の順に配置されることによって、広画角が達成されつつも、各レンズの光学的パワーが抑えられるため、広角光学系の生産性が向上される。特に、物体側から像側へ順に２枚の負レンズが配置されることによって、負レンズの光学的パワーが適切に分担され、像面への軸外光線入射角が抑えられる。また、これら負レンズの像側に絞りを挟んで正レンズが２枚配置されることによって、軸外収差の補正も可能となる。そして、前記条件式（１）の上限を上回ると、光学全長が増加するため、広角光学系の小型化を図ることができず、好ましくない。また、条件式（１）の下限を下回ると、第３レンズおよび第４レンズの製造誤差感度が上昇するため、生産性の悪化やコスト増を招き、好ましくない。したがって、このような構成の広角光学系では、より良好な光学性能を有し、低コストでコンパクトな光学系が提供可能となる。【００１０】
また、この上述の広角光学系において、好ましくは、下記（２）の条件式を満たす。
２．９＜ｆ３／ｆ＜３．６      ・・・（２）
ただし、ｆ３は、前記第３レンズの焦点距離であり、ｆは、本広角光学系の全系の焦点距離である。【００１１】
この構成において、前記条件式（２）の上限を上回ると、光学全長が増加するか、あるいは、第４レンズの光学的パワーが強くなって製造誤差感度が高くなってしまい、好ましくない。また、条件式（２）の下限を下回ると、第３レンズの製造誤差感度が比較的大幅に上昇するため、生産性の悪化やコスト増を招き、好ましくない。【００１２】
また、これら上述の広角光学系において、好ましくは、下記（３）の条件式を満たす。２．１＜Ｄ１２／ｆ＜５      ・・・（３）
ただし、Ｄ１２は、前記第１レンズと前記第２レンズとの間における光軸上間隔であり、ｆは、本広角光学系の全系の焦点距離である。【００１３】
この構成において、前記条件式（３）の上限を上回ると、第１レンズの外径が大きくなり過ぎるため、本広角光学系の小型化が困難となって好ましくない。また、条件式（３）の下限を下回ると、第１レンズの像側面および第２レンズの物体側面における光学的パワーを強めることができないため、第２レンズの像側面の曲率が非常に大きくなってしまい、好ましくない。さらに加えて、第１レンズおよび第２レンズの合成光学的パワーが強くなり過ぎるため、歪曲収差の補正が困難となって好ましくない。【００１４】
また、これら上述の広角光学系において、好ましくは、下記（４）の条件式を満たす。２．２＜｜ｆ２／ｆ｜＜３      ・・・（４）
ただし、ｆ２は、前記第２レンズの焦点距離であり、ｆは、本広角光学系の全系の焦点距離である。【００１５】
この構成において、前記条件式（４）の上限を上回ると、歪曲収差の補正が困難となって好ましくない。また、条件式（４）の下限を下回ると、第２レンズの像側面の曲率や面角度が大きくなり過ぎるため、製造が困難になって好ましくない。【００１６】
また、これら上述の広角光学系において、好ましくは、下記（５）の条件式を満たす。７．５＜｜ｆ１／ｆ｜＜１０      ・・・（５）
ただし、ｆ１は、前記第１レンズの焦点距離であり、ｆは、本広角光学系の全系の焦点距離である。【００１７】
この構成において、前記条件式（５）の上限を上回ると、像面への軸外光線入射角が大きくなるため、画面周辺の照度が低下してしまい、好ましくない。また、条件式（５）の下限を下回ると、第１レンズの像側面の曲率や面角度が大きくなり過ぎるため、製造が困難になって好ましくない。【００１８】
また、これら上述の広角光学系において、好ましくは、下記（６）の条件式を満たす。２．８＜ｆ１／ｆ２＜４      ・・・（６）
ただし、ｆ１は、前記第１レンズの焦点距離であり、ｆ２は、第２レンズの焦点距離である。【００１９】
この構成において、前記条件式（６）の上限または下限を超えると、いずれの場合も第１および第２レンズの曲率や面角度が大きくなり過ぎるため、製造が困難となって好ましくない。【００２０】
また、これら上述の広角光学系において、好ましくは、下記（７）の条件式を満たす。１．２＜｜ｆ１２／ｆ｜＜１．６      ・・・（７）
ただし、ｆ１２は、前記第１レンズおよび第２レンズの合成焦点距離であり、ｆは、本広角光学系の全系の焦点距離である。【００２１】
この構成において、前記条件式（７）の上限を上回ると、像面への軸外光線入射角が大きくなるため、画面周辺の照度が低下してしまい、好ましくない。また、条件式（７）の下限を下回ると、第１および第２レンズにおける像側面の曲率や面角度が大きくなり過ぎるため、製造が困難になって好ましくない。【００２２】
また、これら上述の広角光学系において、好ましくは、下記（８）の条件式を満たす。０．８８＜ｆ３／ｆ４＜１．５５      ・・・（８）
ただし、ｆ３は、前記第３レンズの焦点距離であり、ｆ４は、前記第４レンズの焦点距離である。【００２３】
この構成において、前記条件式（８）の上限または下限を超えると、いずれの場合も第３レンズまたは第４レンズの光学的パワーが強くなるため、特に偏芯に対する製造誤差感度が高くなるため、生産性の悪化やコスト増を招き、好ましくない。【００２４】
また、これら上述の広角光学系において、好ましくは、下記（９）の条件式を満たす。２＜ｆ４／ｆ＜３            ・・・（９）
ただし、ｆ４は、前記第４レンズの焦点距離であり、ｆは、本広角光学系の全系の焦点距離である。【００２５】
この構成において、前記条件式（９）の上限を上回ると、像面への軸外光線入射角が大きくなるため、画面周辺の照度が低下してしまい、好ましくない。また、条件式（９）の下限を下回ると、第４レンズの光学的パワーが強くなるため、特に偏芯に対する製造誤差感度が高くなるため、生産性の悪化やコスト増を招き、好ましくない。【００２６】
また、これら上述の広角光学系において、好ましくは、下記（１０）の条件式を満たす。
９．５＜ｆ１２３／ｆ＜２３      ・・・（１０）
ただし、ｆ１２３は、前記第１レンズ、前記第２レンズおよび前記第３レンズの合成焦点距離であり、ｆは、本広角光学系の全系の焦点距離である。【００２７】
この構成において、前記条件式（１０）の上限を上回ると、光学全長が増加するため、本広角光学系の小型化を図ることができなくなって、好ましくない。また、条件式（１０）の下限を下回ると、第３レンズの光学的パワーが大きくなるため、製造誤差感度が大幅に上昇するから、生産性の悪化やコスト増を招き、好ましくない。【００２８】
また、これら上述の広角光学系において、好ましくは、最も物体側のレンズは、ガラス製レンズである。【００２９】
光学系の前にレンズ保護部材を配置することは、コンパクト化に相反するため、最も物体側レンズは、剥き出しになる可能性が高い。この構成によれば、最物体側レンズがガラス製レンズとされることによって、強度が高く、傷が付き難く、また傷に起因するフレアの発生や、撮像性能の悪化を抑えることが可能となる。【００３０】
また、これら上述の広角光学系において、好ましくは、下記（１１）の条件式を満たす。
０．８５＜Ｄａ２／Ｒ２＜０．９５      ・・・（１１）
ただし、Ｄａ２は、最物体側レンズにおける像側面の最大有効半径であり、Ｒ２は、最物体側レンズにおける像側面の近軸曲率半径である。【００３１】
この構成において、前記条件式（１１）の上限を上回ると、第２レンズにおける像側面の曲率や面角度が大きくなり過ぎるため、製造が困難になって好ましくない。また、条件式（１１）の下限を下回ると、歪曲収差の補正が不足することになるため、また像面への軸外光線入射角が大きくなるため、画面周辺の照度が低下してしまい、好ましくない。【００３２】
また、これら上述の広角光学系において、好ましくは、前記第２レンズは、少なくとも１面の非球面を有する樹脂材料製レンズである。【００３３】
この構成によれば、第２レンズに非球面が配置されることによって、歪曲収差の補正が可能となる。また、樹脂材料製レンズでこの非球面が実現されることによって、低コストで高性能なレンズを得ることが可能となる。【００３４】
また、これら上述の広角光学系において、好ましくは、下記（１２）および（１３）の条件式を満たす。
Ｄｐ４／Ｒ４＞１      ・・・（１２）
ｄＺ４／Ｒ４＜−０．４      ・・・（１３）
ただし、Ｄｐ４は、前記第２レンズの像側面において、最大有効半径での面の変位量（面頂点からの光軸方向の距離）であり、Ｒ４は、前記第２レンズにおける像側面の近軸曲率半径であり、ｄＺ４は、前記第２レンズの像側面において、光軸からの高さが近軸曲率半径と等しくなる位置での非球面サグ量（球面量との差分）である。【００３５】
この構成において、前記条件式（１２）の下限、または、条件式（１３）の上限を超えると、いずれの場合も軸外収差、特に非点収差の補正が困難となって好ましくない。【００３６】
また、これら上述の広角光学系において、好ましくは、半画角９０度の光束の主光線について、下記（１４）の条件式を満たす。
−０．３＜Ｙｒ／２ｆ−１＜０．７      ・・・（１４）
ただし、Ｙｒは、像面上での主光線位置（光軸からの距離）であり、ｆは、本広角光学系の全系の焦点距離である。【００３７】
この構成において、前記条件式（１４）の上限を上回ると、軸外収差、特に非点収差と倍率色収差の補正が困難となって好ましくない。また、条件式（１４）の下限を下回ると、周辺画像の圧縮率が大きくなり過ぎるため、周辺部の情報量が欠落してしまう。このため、画像処理によって補正したとしても周辺の解像度が大幅に低下してしまい、好ましくない。【００３８】
また、これら上述の広角光学系において、好ましくは、下記（１５）の条件式を満たす。
Ｙ’／ＴＬ＞０．１      ・・・（１５）
ただし、Ｙ’は、最大像高であり、ＴＬは、最物体側レンズ面の面頂点から像面までの光軸上距離（ただし、バックフォーカスは空気換算長）である。【００３９】
この構成において、前記条件式（１５）の下限を下回ると、光学全長が大幅に増加するため、本広角光学系の小型化が困難となって好ましくない。【００４０】
また、これら上述の広角光学系において、好ましくは、下記（１６）の条件式を満たす。
｜Ｅｐ｜／Ｌｂ＞２．２      ・・・（１６）
ただし、Ｅｐは、最大像高主光線に対する射出瞳位置であり、Ｌｂは、バックフォーカス（空気換算長）である。【００４１】
この構成において、前記条件式（１６）の下限を下回ると、撮像面の手前に例えばレンズアレイが配置されたとしても、周辺照度の低下を抑制することが困難となって好ましくない。【００４２】
また、これら上述の広角光学系において、好ましくは、前記第１および第２レンズは、物体側に凸形状の負メニスカスレンズであり、前記第３レンズは、両凸の正レンズであり、前記絞りは、開口絞りであり、前記第４レンズは、両凸の正レンズである。【００４３】
この構成によれば、広画角が達成されつつも、各レンズの光学的パワーが抑えられるため、広角光学系の生産性が向上される。特に、物体側より像側へ順に、２枚の負メニスカスレンズが配置されることによって、負レンズの光学的パワーを抑えた状態で充分なバックフォーカスを確保することが可能となる。また、その像側に絞りを挟んで２枚の両凸の正レンズが配置されることによって、絞りに関して対称形となるため、歪曲収差や非点収差が効果的に補正される。【００４４】
また、これら上述の広角光学系において、好ましくは、前記第３レンズは、少なくとも１面の非球面を有する樹脂材料製レンズである。【００４５】
この構成によれば、第３レンズに非球面が配置されることによって、球面収差、コマ収差および非点収差が効果的に補正される。また、樹脂材料製レンズでこの非球面が実現されることによって、低コストで高性能なレンズを得ることが可能となる。【００４６】
また、これら上述の広角光学系において、好ましくは、前記第４レンズは、少なくとも１面の非球面を有する樹脂材料製レンズである。【００４７】
この構成によれば、第４レンズに非球面が配置されることによって、球面収差、コマ収差および非点収差が効果的に補正される。また、樹脂材料製レンズでこの非球面が実現されることによって、低コストで高性能なレンズを得ることが可能となる。【００４８】
そして、本発明の他の一態様に係る撮像レンズ装置は、これら上述のいずれか１つの広角光学系を備え、前記広角光学系が所定の結像面上に被写体の光学像を形成可能な構成とされていることを特徴とする。【００４９】
そして、本発明の他の一態様に係るモニタカメラは、所定位置に取り付けられ、取り付けられた位置周辺の所定領域の被写体を撮像するモニタカメラであって、上述の撮像レンズ装置と、前記撮像レンズ装置により導かれた被写体の光学像を電気的な信号に変換する撮像素子とを備えることを特徴とする。【００５０】
そして、本発明の他の一態様に係るデジタル機器は、上述の撮像レンズ装置と、前記撮像レンズ装置により導かれた被写体の光学像を電気的な信号に変換する撮像素子と、前記撮像レンズ装置および前記撮像素子に被写体の静止画撮影および動画撮影の少なくとも一方の撮影を行わせる制御部とを備えることを特徴とする。【００５１】
また、上述のデジタル機器において、好ましくは、前記撮像素子の受光面上に形成される前記被写体の光学像における歪みを補正する画像処理部をさらに備えることを特徴とする。【００５２】
この構成によれば、情報処理によって被写体の光学像における歪みを補正することが可能となり、歪曲収差によって歪んだ画像を、肉眼で見える光景と同様な略歪みのない自然な画像を生成することが可能となる。
【発明の効果】
【００５３】
本発明によれば、より良好な光学性能を有し、コンパクトな広角光学系、撮像レンズ装置、モニタカメラおよびデジタル機器の提供が可能となる。
【図面の簡単な説明】
【００５４】
【図１】実施形態における広角光学系の説明のための、その構成を模式的に示したレンズ断面図である。
【図２】変位量および非球面サグ量を説明するための図である。
【図３】実施形態におけるデジタル機器の構成を示すブロック図である。
【図４】デジタル機器の一実施形態を示すカメラ付携帯電話機の外観構成図である。
【図５】デジタル機器の一実施形態を示す車載用のモニタカメラの概要を説明するための図である。
【図６】実施例１の広角光学系におけるレンズ群の配列を示す断面図である。
【図７】実施例２の広角光学系におけるレンズ群の配列を示す断面図である。
【図８】実施例３の広角光学系におけるレンズ群の配列を示す断面図である。
【図９】実施例４の広角光学系におけるレンズ群の配列を示す断面図である。
【図１０】実施例５の広角光学系におけるレンズ群の配列を示す断面図である。
【図１１】実施例６の広角光学系におけるレンズ群の配列を示す断面図である。
【図１２】実施例７の広角光学系におけるレンズ群の配列を示す断面図である。
【図１３】実施例８の広角光学系におけるレンズ群の配列を示す断面図である。
【図１４】実施例９の広角光学系におけるレンズ群の配列を示す断面図である。
【図１５】実施例１０の広角光学系におけるレンズ群の配列を示す断面図である。
【図１６】実施例１１の広角光学系におけるレンズ群の配列を示す断面図である。
【図１７】実施例１２の広角光学系におけるレンズ群の配列を示す断面図である。
【図１８】実施例１３の広角光学系におけるレンズ群の配列を示す断面図である。
【図１９】実施例１４の広角光学系におけるレンズ群の配列を示す断面図である。
【図２０】実施例１５の広角光学系におけるレンズ群の配列を示す断面図である。
【図２１】実施例１６の広角光学系におけるレンズ群の配列を示す断面図である。
【図２２】実施例１７の広角光学系におけるレンズ群の配列を示す断面図である。
【図２３】実施例１８の広角光学系におけるレンズ群の配列を示す断面図である。
【図２４】実施例１の広角光学系におけるレンズ群の収差図（その１）である。
【図２５】実施例１の広角光学系におけるレンズ群の収差図（その２）である。
【図２６】実施例２の広角光学系におけるレンズ群の収差図（その１）である。
【図２７】実施例２の広角光学系におけるレンズ群の収差図（その２）である。
【図２８】実施例３の広角光学系におけるレンズ群の収差図（その１）である。
【図２９】実施例３の広角光学系におけるレンズ群の収差図（その２）である。
【図３０】実施例４の広角光学系におけるレンズ群の収差図（その１）である。
【図３１】実施例４の広角光学系におけるレンズ群の収差図（その２）である。
【図３２】実施例５の広角光学系におけるレンズ群の収差図（その１）である。
【図３３】実施例５の広角光学系におけるレンズ群の収差図（その２）である。
【図３４】実施例６の広角光学系におけるレンズ群の収差図（その１）である。
【図３５】実施例６の広角光学系におけるレンズ群の収差図（その２）である。
【図３６】実施例７の広角光学系におけるレンズ群の収差図（その１）である。
【図３７】実施例７の広角光学系におけるレンズ群の収差図（その２）である。
【図３８】実施例８の広角光学系におけるレンズ群の収差図（その１）である。
【図３９】実施例８の広角光学系におけるレンズ群の収差図（その２）である。
【図４０】実施例９の広角光学系におけるレンズ群の収差図（その１）である。
【図４１】実施例９の広角光学系におけるレンズ群の収差図（その２）である。
【図４２】実施例１０の広角光学系におけるレンズ群の収差図（その１）である。
【図４３】実施例１０の広角光学系におけるレンズ群の収差図（その２）である。
【図４４】実施例１１の広角光学系におけるレンズ群の収差図（その１）である。
【図４５】実施例１１の広角光学系におけるレンズ群の収差図（その２）である。
【図４６】実施例１２の広角光学系におけるレンズ群の収差図（その１）である。
【図４７】実施例１２の広角光学系におけるレンズ群の収差図（その２）である。
【図４８】実施例１３の広角光学系におけるレンズ群の収差図（その１）である。
【図４９】実施例１３の広角光学系におけるレンズ群の収差図（その２）である。
【図５０】実施例１４の広角光学系におけるレンズ群の収差図（その１）である。
【図５１】実施例１４の広角光学系におけるレンズ群の収差図（その２）である。
【図５２】実施例１５の広角光学系におけるレンズ群の収差図（その１）である。
【図５３】実施例１５の広角光学系におけるレンズ群の収差図（その２）である。
【図５４】実施例１６の広角光学系におけるレンズ群の収差図（その１）である。
【図５５】実施例１６の広角光学系におけるレンズ群の収差図（その２）である。
【図５６】実施例１７の広角光学系におけるレンズ群の収差図（その１）である。
【図５７】実施例１７の広角光学系におけるレンズ群の収差図（その２）である。
【図５８】実施例１８の広角光学系におけるレンズ群の収差図（その１）である。
【図５９】実施例１８の広角光学系におけるレンズ群の収差図（その２）である。
【符号の説明】
【００５５】
ＡＸ  光軸
１、１Ａ〜１Ｒ  広角光学系
３  デジタル機器
５  携帯電話機
７  モニタカメラ
９  車両
１１、Ｌ１  第１レンズ
１２、Ｌ２  第２レンズ
１３、Ｌ３  第３レンズ
１４、Ｌ４  第４レンズ
１５、ＳＴ  絞り
１７、ＳＲ  撮像素子
２１  撮像装置
【発明を実施するための最良の形態】
【００５６】
以下、本発明に係る実施の一形態を図面に基づいて説明する。なお、各図において同一の符号を付した構成は、同一の構成であることを示し、その説明を省略する。【００５７】
＜広角光学系の説明＞
図１は、実施形態における広角光学系の説明のための、その構成を模式的に示したレンズ断面図である。【００５８】
図１において、この広角光学系１は、所定の結像面上に、例えば、光学像を電気的な信号に変換する撮像素子１７の受光面（像面）上に物体（被写体）の光学像を形成可能な構成とされている撮像レンズ装置に好適に備えられるものであって、物体側より像側へ順に、負の光学的パワーを有する第１レンズ１１と、負の光学的パワーを有する第２レンズ１２と、正の光学的パワーを有する第３レンズ１３と、開口絞り１５と、正の光学的パワーを有する第４レンズ１４とから構成されて成る負負正正の４成分の光学系である。なお、図１で例示した広角光学系１は、後述する実施例１の広角光学系１Ａ（図６）と同じ構成である。【００５９】
図１では、第１および第２レンズ１１、１２は、それぞれ、物体側に凸の負メニスカスレンズであり、第３および４レンズ１３、１４は、それぞれ、両凸の正レンズである。第２ないし第４レンズ１２〜１４は、それぞれ、両面が非球面であり、例えばプラスチックなどの樹脂材料製レンズである。【００６０】
このように図１に示す広角光学系１は、第１ないし第４レンズ１１〜１４が負・負・正・正の順に配置されることによって、広画角が達成されつつも、各レンズ１１〜１４の光学的パワーが抑えられるため、広角光学系１の生産性が向上される。特に、物体側から像側へ順に２枚の負レンズ、本実施形態では負メニスカスレンズ１１、１２が配置されることによって、これらレンズ１１、１２の光学的パワーが適切に分担され、撮像素子１７に結像させる場合において、像面への軸外光線入射角が抑えられる。また、これらレンズ１１、１２の像側に開口絞り１５を挟んで正レンズ、本実施形態では両凸の正レンズ１３、１４が２枚配置されることによって、軸外収差の補正も可能となる。【００６１】
そして、この広角光学系１は、第３および第４レンズ１３、１４の合成焦点距離をｆ３４とし、広角光学系１の全系の焦点距離をｆとする場合に、下記（１）の条件式を満たす。
３＜ｆ３４／ｆ＜１０      ・・・（１）
この条件式（１）の上限を上回ると、光学全長が増加するため、広角光学系１の小型化を図ることができず、好ましくない。また、この条件式（１）の下限を下回ると、第３および第４レンズ１３、１４の製造誤差感度が上昇するため、生産性の悪化やコスト増を招き、好ましくない。【００６２】
したがって、このような構成の広角光学系１では、より良好な光学性能を有し、低コストでコンパクトな光学系が提供可能となる。【００６３】
また、より小型化すると共に生産性やコストをより改善する観点から、広角光学系１は、下記条件式（１’）を満たすことがより一層好ましい。
３．２＜ｆ３４／ｆ＜７      ・・・（１’）
この条件式（１’）を満たすことによって、偏芯誤差に対する製造難易度が充分に低減され、そして、広角光学系１の小型化が達成される。【００６４】
さらに、この広角光学系１の像側には、フィルタ１６や撮像素子１７が配置されている。フィルタ１６は、平行平板状の光学素子であり、各種光学フィルタや、撮像素子のカバーガラス等を模式的に表したものである。使用用途、撮像素子、カメラの構成等に応じて、ローパスフィルタ、赤外線カットフィルタなどの光学フィルタを適宜に配置することが可能である。撮像素子１７は、この広角光学系１によって結像された被写体の光学像における光量に応じてＲ（赤）、Ｇ（緑）、Ｂ（青）の各成分の画像信号に光電変換して所定の画像処理回路（不図示）へ出力する素子である。これらによって物体側の被写体光学像が、広角光学系１によってその光軸ＡＸに沿って撮像素子１７の受光面まで導かれ、撮像素子１５によって前記被写体の光学像が撮像される。【００６５】
また、この広角光学系１では、第１および第２レンズ１１、１２は、物体側に凸形状の負メニスカスレンズであり、第３レンズ１３は、両凸の正レンズであり、絞り１５は、開口絞りであり、第４レンズ１４は、両凸の正レンズである。このように構成することによって、広画角が達成されつつも、各レンズの光学的パワーが抑えられるため、広角光学系１の生産性が向上される。特に、物体側より像側へ順に、２枚の負メニスカスレンズ１１、１２が配置されることによって、負レンズの光学的パワーを抑えた状態で充分なバックフォーカスを確保することが可能となる。また、これら第１および第２レンズ１１、１２の像側に絞り１５を挟んで２枚の両凸の正レンズ１３、１４が配置されることによって、絞り１５に関して対称形となるため、歪曲収差や非点収差が効果的に補正される。【００６６】
また、この広角光学系１では、第２レンズ１２が少なくとも１面の非球面を有する樹脂材料製レンズである。図１に示す例では、第２レンズ１２は、両面が非球面である樹脂材料製レンズである。このように第２レンズ１２に非球面が配置されることによって、歪曲収差の補正が可能となる。また、樹脂材料製レンズでこの非球面が実現されることによって、低コストで高性能なレンズを得ることが可能となる。【００６７】
また、この広角光学系１では、第３レンズ１３が少なくとも１面の非球面を有する樹脂材料製レンズである。図１に示す例では、第３レンズ１３は、両面が非球面である樹脂材料製レンズである。このように第３レンズ１３に非球面が配置されることによって、球面収差、コマ収差および非点収差が効果的に補正される。また、樹脂材料製レンズでこの非球面が実現されることによって、低コストで高性能なレンズを得ることが可能となる。【００６８】
また、この広角光学系１では、第４レンズが少なくとも１面の非球面を有する樹脂材料製レンズである。図１に示す例では、第４レンズ１４は、両面が非球面である樹脂材料製レンズである。このように第４レンズ１４に非球面が配置されることによって、球面収差、コマ収差および非点収差が効果的に補正される。また、樹脂材料製レンズでこの非球面が実現されることによって、低コストで高性能なレンズを得ることが可能となる。【００６９】
また、この広角光学系１では、最も物体側のレンズ、すなわち、第１レンズ１１は、ガラス製レンズとされる。光学系の前にレンズ保護部材を配置することは、小型化（コンパクト化）に相反するため、最も物体側レンズは、通常、剥き出しになる可能性が高い。したがって、このように最物体側の第１レンズ１１がガラス製レンズとされることによって、強度が高く、傷が付き難く、また傷に起因するフレアの発生や、撮像性能の悪化を抑えることが可能となる。【００７０】
また、この広角光学系１では、負の光学的パワーを有する第２レンズ１２と、正の光学的パワーを有する第４レンズ１４とが樹脂材料で構成されている。このように構成されることによって、車載や監視等の用途のように、使用温度範囲が比較的広い場合にも、温度変化の際におけるバックフォーカス変動を抑えることが可能となる。【００７１】
また、この広角光学系１において、第３レンズ１３の焦点距離をｆ３とし、広角光学系１の全系の焦点距離をｆとする場合に、下記（２）の条件式を満たすことが好ましい。
２．９＜ｆ３／ｆ＜３．６      ・・・（２）
この条件式（２）の上限を上回ると、光学全長が増加するか、あるいは、第４レンズ１４の光学的パワーが強くなって製造誤差感度が高くなってしまい、好ましくない。また、この条件式（２）の下限を下回ると、第３レンズ１３の製造誤差感度が比較的大幅に上昇するため、生産性の悪化やコスト増を招き、好ましくない。したがって、このように構成することによって、より低廉でより小型な広角光学系１の提供が可能となる。【００７２】
また、この広角光学系１において、第１レンズ１１と第２レンズ１２との間における光軸上間隔をＤ１２とし、広角光学系１の全系の焦点距離をｆとする場合に、下記（３）の条件式を満たすことが好ましい。
２．１＜Ｄ１２／ｆ＜５      ・・・（３）
この条件式（３）の上限を上回ると、第１レンズ１１の外径が大きくなり過ぎるため、広角光学系１の小型化が困難となって好ましくない。また、この条件式（３）の下限を下回ると、第１レンズ１１の像側面および第２レンズ１２の物体側面における光学的パワーを強めることができないため、第２レンズ１２の像側面の曲率が非常に大きくなってしまい、好ましくない。さらに加えて、第１および第２レンズ１１、１２の合成光学的パワーが強くなり過ぎるため、歪曲収差の補正が困難となって好ましくない。したがって、このように構成することによって、より小型でより良好な光学特性を有する広角光学系１の提供が可能となる。【００７３】
また、この広角光学系１において、下記（３’）の条件式を満たすことがより好ましい。
２．５＜Ｄ１２／ｆ＜４．５      ・・・（３’）
この条件式（３’）の上限を上回ると、第１および第２レンズ１１、１２の合成光学的パワーが弱まるため、像面へのテレセントリック性が悪化してしまい、好ましくない。また、この条件式（３’）の下限を下回ると、第１レンズ１１と第２レンズ１２とにおいて、コバ部に干渉が生じ易くなるため、それを避けるためにレンズ形状または鏡筒形状が複雑化してしまい、好ましくない。したがって、このように構成することによって、より低廉でより良好な光学特性を有する広角光学系１の提供が可能となる。【００７４】
また、この広角光学系１において、第２レンズ１２の焦点距離をｆ２とし、広角光学系１の全系の焦点距離をｆとする場合に、下記（４）の条件式を満たすことが好ましい。
２．２＜｜ｆ２／ｆ｜＜３      ・・・（４）
この条件式（４）の上限を上回ると、歪曲収差の補正が困難となって好ましくない。また、この条件式（４）の下限を下回ると、第２レンズ１２の像側面の曲率や面角度が大きくなり過ぎるため、製造が困難になって好ましくない。したがって、このように構成することによって、より低廉でより良好な光学特性を有する広角光学系１の提供が可能となる。【００７５】
また、この広角光学系１において、第１レンズ１１の焦点距離をｆ１とし、広角光学系１の全系の焦点距離をｆとする場合に、下記（５）の条件式を満たすことが好ましい。
７．５＜｜ｆ１／ｆ｜＜１０      ・・・（５）
この条件式（５）の上限を上回ると、像面への軸外光線入射角が大きくなるため、画面周辺の照度が低下してしまい、好ましくない。また、この条件式（５）の下限を下回ると、第１レンズ１１の像側面の曲率や面角度が大きくなり過ぎるため、製造が困難になって好ましくない。したがって、このように構成することによって、より低廉でより良好な光学特性を有する広角光学系１の提供が可能となる。【００７６】
また、この広角光学系１において、第１および第２レンズ１１、１２の焦点距離をそれぞれｆ１、ｆ２とする場合に、下記（６）の条件式を満たすことが好ましい。
２．８＜ｆ１／ｆ２＜４      ・・・（６）
この条件式（６）の上限または下限を超えると、いずれの場合も第１および第２レンズ１１、１２の曲率や面角度が大きくなり過ぎるため、製造が困難となって好ましくない。したがって、このように構成することによって、より低廉な広角光学系１の提供が可能となる。【００７７】
また、この広角光学系１において、第１および第２レンズ１１、１２の合成焦点距離をｆ１２とし、広角光学系１の全系の焦点距離をｆとする場合に、下記（７）の条件式を満たすことが好ましい。
１．２＜｜ｆ１２／ｆ｜＜１．６      ・・・（７）
この条件式（７）の上限を上回ると、像面への軸外光線入射角が大きくなるため、画面周辺の照度が低下してしまい、好ましくない。また、この条件式（７）の下限を下回ると、第１および第２レンズ１１、１２における像側面の曲率や面角度が大きくなり過ぎるため、製造が困難になって好ましくない。したがって、このように構成することによって、より低廉でより良好な光学特性を有する広角光学系１の提供が可能となる。【００７８】
また、この広角光学系１において、第３および第４レンズ１３、１４の焦点距離をそれぞれｆ３、ｆ４とする場合に、下記（８）の条件式を満たすことが好ましい。
０．８８＜ｆ３／ｆ４＜１．５５      ・・・（８）
この条件式（８）の上限または下限を超えると、いずれの場合も第３レンズまたは第４レンズ１３、１４の光学的パワーが強くなるため、特に偏芯に対する製造誤差感度が高くなるため、生産性の悪化やコスト増を招き、好ましくない。したがって、このように構成することによって、より低廉な広角光学系１の提供が可能となる。【００７９】
また、この広角光学系１において、第４レンズ１４の焦点距離をｆ４とし、広角光学系１の全系の焦点距離をｆとする場合に、下記（９）の条件式を満たすことが好ましい。
２＜ｆ４／ｆ＜３            ・・・（９）
この条件式（９）の上限を上回ると、像面への軸外光線入射角が大きくなるため、画面周辺の照度が低下してしまい、好ましくない。また、この条件式（９）の下限を下回ると、第４レンズ１４の光学的パワーが強くなるため、特に偏芯に対する製造誤差感度が高くなるため、生産性の悪化やコスト増を招き、好ましくない。したがって、このように構成することによって、より低廉でより良好な光学特性を有する広角光学系１の提供が可能となる。【００８０】
また、この広角光学系１において、第１ないし第３レンズ１１〜１３の合成焦点距離をｆ１２３とし、広角光学系１の全系の焦点距離をｆとする場合に、下記（１０）の条件式を満たすことが好ましい。
９．５＜ｆ１２３／ｆ＜２３      ・・・（１０）
この条件式（１０）の上限を上回ると、光学全長が増加するため、本広角光学系１の小型化を図ることができなくなって、好ましくない。また、この条件式（１０）の下限を下回ると、第３レンズ１３の光学的パワーが大きくなるため、製造誤差感度が大幅に上昇するから、生産性の悪化やコスト増を招き、好ましくない。したがって、このように構成することによって、より低廉でより小型な広角光学系１の提供が可能となる。【００８１】
また、この広角光学系１において、最物体側レンズにおける像側面の最大有効半径をＤａとし、最物体側レンズにおける像側面の近軸曲率半径をＲ２とする場合に、下記（１１）の条件式を満たすことが好ましい。
０．８５＜Ｄａ２／Ｒ２＜０．９５      ・・・（１１）
この条件式（１１）の上限を上回ると、第２レンズ１２における像側面の曲率や面角度が大きくなり過ぎるため、製造が困難になって好ましくない。また、この条件式（１１）の下限を下回ると、歪曲収差の補正が不足することになるため、また像面への軸外光線入射角が大きくなるため、画面周辺の照度が低下してしまい、好ましくない。したがって、このように構成することによって、より低廉でより良好な光学特性を有する広角光学系１の提供が可能となる。【００８２】
また、この広角光学系１において、第２レンズ１２の像側面において、最大有効半径での面の変位量（面頂点からの光軸方向の距離）をＤｐ４とし、第２レンズ１２における像側面の近軸曲率半径をＲ４とし、第２レンズ１２の像側面において、光軸からの高さが近軸曲率半径と等しくなる位置での非球面サグ量（球面量との差分）をｄＺ４とする場合に、下記（１２）および（１３）の条件式を満たすことが好ましい。
Ｄｐ４／Ｒ４＞１      ・・・（１２）
ｄＺ４／Ｒ４＜−０．４      ・・・（１３）
図２は、変位量Ｄｐ４および非球面サグ量ｄＺ４を説明するための図である。図２のｚ軸（横軸）は、光軸であり、光軸の正方向がｚ軸の正方向とされ、ｈ軸（縦軸）は、レンズの径方向である。また、座標原点は、レンズの面頂点とされる。レンズの断面形状において、図２に示すように、変位量ｄｐ４は、光軸方向における面頂点から最大有効半径までの距離である。また、図２に示すように、非球面サグ（sag）量ｄＺ４は、レンズの面頂点と最大有効半径に対する非球面曲線上の点との間の光軸方向の距離と、近軸曲率に基づく球面サグ量との差分を表すパラメータである。【００８３】
この条件式（１２）の下限、または、この条件式（１３）の上限を超えると、いずれの場合も軸外収差、特に非点収差の補正が困難となって好ましくない。したがって、このように構成することによって、より良好な光学特性を有する広角光学系１の提供が可能となる。【００８４】
また、この広角光学系１において、像面上での主光線位置（光軸からの距離）をＹｒとし、広角光学系１の全系の焦点距離をｆとする場合に、半画角９０度の光束の主光線について、下記（１４）の条件式を満たすことが好ましい。
−０．３＜Ｙｒ／２ｆ−１＜０．７      ・・・（１４）
この条件式（１４）の上限を上回ると、軸外収差、特に非点収差と倍率色収差の補正が困難となって好ましくない。また、この条件式（１４）の下限を下回ると、周辺画像の圧縮率が大きくなり過ぎるため、周辺部の情報量が欠落してしまう。このため、画像処理によって補正したとしても周辺の解像度が大幅に低下してしまい、好ましくない。したがって、このように構成することによって、より良好な光学特性を有する広角光学系１の提供が可能となる。
また、この広角光学系１において、半画角９０度の光束の主光線について、下記（１４’）の条件式を満たすことがより好ましい。
−０．２＜Ｙｒ／２ｆ−１＜０．６      ・・・（１４’）
この条件式（１４’）の上限を上回ると、軸外収差補正のためにレンズ枚数を増やす必要が生じ、コスト増を招いてしまい、好ましくない。また、この条件式（１４’）の下限を下回ると、周辺部の情報量が乏しくなり、広画角をモニタリング（監視）するメリット（利点）が失われてしまい、好ましくない。したがって、このように構成することによって、より低廉でより良好な光学特性を有する広角光学系１の提供が可能となる。【００８５】
また、この広角光学系１において、最大像高をＹ’とし、最物体側レンズ面の面頂点から像面までの光軸上距離（ただし、バックフォーカスは空気換算長）をＴＬとする場合に、下記（１５）の条件式を満たすことが好ましい。
Ｙ’／ＴＬ＞０．１      ・・・（１５）
この条件式（１５）の下限を下回ると、光学全長が大幅に増加するため、広角光学系１の小型化が困難となって好ましくない。したがって、このように構成することによって、より小型な広角光学系１の提供が可能となる。【００８６】
また、この広角光学系１において、下記（１５’）の条件式を満たすことがより好ましい。
Ｙ’／ＴＬ＞０．１２      ・・・（１５’）
この条件式（１５’）の下限を下回ると、前玉レンズ外径が大型化するため、広角光学系１の小型化を図ることが困難となって好ましくない。したがって、このように構成することによって、より小型な広角光学系１の提供が可能となる。【００８７】
また、この広角光学系１において、最大像高主光線に対する射出瞳位置をＥｐとし、バックフォーカス（空気換算長）をＬｂとする場合に、下記（１６）の条件式を満たすことが好ましい。
｜Ｅｐ｜／Ｌｂ＞２．２      ・・・（１６）
この条件式（１６）の下限を下回ると、撮像面の手前に例えばレンズアレイが配置されたとしても、周辺照度の低下を抑制することが困難となって好ましくない。したがって、このように構成することによって、より良好な光学特性を有する広角光学系１の提供が可能となる。【００８８】
また、この広角光学系１において、下記（１６’）の条件式を満たすことが好ましい。｜Ｅｐ｜／Ｌｂ＞２．６      ・・・（１６）
この条件式（１６’）の下限を下回ると、シェーディングによる周辺照度劣化が目立つため、画面周辺部の情報量が減少してしまい、好ましくない。したがって、このように構成することによって、より良好な光学特性を有する広角光学系１の提供が可能となる。【００８９】
また、この広角光学系１において、最も物体側のレンズ、図１に示す例では第１レンズ１１は、前記最も物体側のレンズにおけるガラス材料の粉末を０．０１ｍｏｌ／ｌの硝酸水溶液中に入れて、沸騰水浴中で加熱し、その質量減（％）として算出される耐酸性の値をＤＡ１とする場合に、下記（１７）の条件式を満たすことが好ましい。
ＤＡ１＜０．３５      ・・・（１７）
この条件式（１７）の上限を上回ると、最物体側のレンズが剥き出しの状態で外的環境に晒された場合に、例えばいわゆるヤケ等の化学反応が生じてしまって広角光学系１の光学特性が低下してしまうが、最物体側のレンズが条件式（１７）を満足するので、光学特性の低下を抑えることができる。ここで、本発明における記載の数値および測定方法は、ＨＯＹＡ株式会社の光学ガラスカタログの記載または株式会社住田光学ガラスの光学ガラスカタログの記載を採用している。【００９０】
また、この広角光学系１において、最も物体側のレンズ、図１に示す例では第１レンズ１１は、ヌープ硬さをＨｋ１とし、直径４３．７ｍｍ（両面で３０ｃｍ２）で厚さ約５ｍｍの対面研磨されたガラス材料を、よく撹拌されている５０℃、０．０１ｍｏｌ／ｌの三リン酸五ナトリウム（Ｎａ５Ｐ３Ｏ１０）水溶液中に、１時間浸漬した場合の単位面積当たりの質量減（ｍｇ／（ｃｍ２・ｈ）の値をＤＳ１とする場合に、下記（１８）および（１９）の条件式のいずれか一方または両方を満足することが好ましい。
Ｈｋ１＞３５０      ・・・（１８）
ＤＳ１≦０．０１      ・・・（１９）
この条件式（１８）および（１９）の少なくとも一方を満足するガラス材料は、頑健性、耐薬品性および防水性等に優れている。最物体側の第１レンズ１１は、このようなガラス材料のレンズであるので、例えば、広角光学系１の前にレンズ保護部材が配置されずに最物体側のレンズが剥き出しとなっても、頑健性、耐薬品性および防水性等に優れ、撮像性能の悪化を抑制することができ、好ましい。特に、車載用途においては、最前面が剥き出しに成ることが多く、好適である。【００９１】
また、この広角光学系１において、最物体側のレンズを除き、空気と面しているレンズ面は、すべて非球面であることが好ましい。このように構成することによって、広角光学系１のコンパクト化と高画質化との両立を図ることが可能となる。【００９２】
また、この広角光学系１において、非球面を有するガラスレンズは、ガラスモールド非球面レンズや、研削非球面ガラスレンズや、複合型非球面レンズ（球面ガラスレンズ上に非球面形状の樹脂を形成したもの）であってもよい。ガラスモールド非球面レンズは、大量生産に向き好ましく、複合型非球面レンズは、基板となり得るガラス材料の種類が多いため、設計の自由度が高くなる。特に、高屈折率材料を用いた非球面レンズでは、モールド形成が容易ではないため、複合型非球面レンズが好ましい。また、片面非球面の場合には、複合型非球面レンズの利点を最大限に活用することが可能となる。【００９３】
また、この広角光学系１において、少なくとも１枚の前記樹脂材料製レンズは、樹脂材料製レンズ、例えば、図１に示す例では、第２ないし第４レンズ１２〜１４のうちの少なくとも１枚の樹脂材料製レンズは、樹脂材料中に最大長が３０ナノメートル以下の粒子を分散させた素材を用いて成形したレンズであることが好ましい。【００９４】
一般に透明な樹脂材料に微粒子を混合すると光の散乱が生じて透過率が低下するため、光学材料として使用することが困難であった。しかしながら、微粒子の大きさを透過光束の波長より小さくすることによって、散乱が実質的に発生しないように樹脂材料を構成することできる。【００９５】
屈折率の温度変化について説明すると、屈折率の温度変化ｎ（Ｔ）は、ローレンツ・ローレンツの式に基づいて、屈折率ｎを温度Ｔで微分することによって式２０で表される。ｎ（Ｔ）＝（（ｎ２＋２）×（ｎ２−１））／６ｎ×（−３α＋（１／［Ｒ］）×（∂［Ｒ］／∂Ｔ））      ・・・（２０）
ただし、αは、線膨張係数であり、［Ｒ］は、分子屈折である。【００９６】
樹脂材料の場合では、一般に、屈折率の温度依存性に対する寄与は、式２０中の第１項に較べて第２項が小さく、ほぼ無視することができる。例えば、ＰＭＭＡ樹脂の場合では、線膨張係数αは、７×１０−５であって、式１４に代入すると、ｎ（Ｔ）＝−１．２×１０−４（／℃）となり、実測値と略一致する。【００９７】
樹脂材料は、温度の上昇によって屈折率が低下するが、無機粒子は、温度の上昇によって屈折率が上昇する。このため、これらの温度依存性を利用することによって、互いにその温度依存性を打ち消し合うように作用させることによって、屈折率変化がほとんど生じないように樹脂材料を構成することができる。例えば、母材となる樹脂材料に最大長が３０ナノメートル以下の無機粒子を分散することによって、屈折率の温度依存性の極めて低い樹脂材料を構成することが可能となる。例えば、アクリルに酸化ニオブ（Ｎｂ２Ｏ５）の微粒子を分散させることによって、温度変化による屈折率変化の小さい材料を生成することが可能となる。上記構成によれば、少なくとも１枚の樹脂材料製レンズに、このような無機粒子を分散させた樹脂材料を用いることによって、本広角光学系１の環境温度変化に伴うバックフォーカスのずれを小さく抑えることが可能となる。【００９８】
広角光学系１の環境温度変化に伴うバックフォーカスのずれを小さく抑える観点から、屈折率の温度変化ｎ（Ｔ）は、絶対値で８×１０−５（／℃）未満であることが好ましく、さらに、絶対値で６×１０−５（／℃）未満であることが好ましい。屈折率の温度変化ｎ（Ｔ）が絶対値で６×１０−５（／℃）未満である場合には、広角光学系１の環境温度変化に伴うバックフォーカスのずれ量は、約半分に抑えられる。【００９９】
よって、このような樹脂材料としては、ポリオレフィン系の樹脂材料やポリカーボネイト系の樹脂材料が好ましい。ポリオレフィン系の樹脂材料では、屈折率の温度変化ｎ（Ｔ）は、約−１１×１０−５（／℃）となり、ポリカーボネイト系の樹脂材料では、屈折率の温度変化ｎ（Ｔ）は、約−１４×１０−５（／℃）となる。【０１００】
＜広角光学系を組み込んだデジタル機器の説明＞
次に、上述の広角光学系１を備えたデジタル機器について説明する。【０１０１】
図３は、実施形態におけるデジタル機器の構成を示すブロック図である。図３において、デジタル機器３は、撮像機能のために、撮像部３０、画像生成部３１、画像データバッファ３２、画像処理部３３、駆動部３４、制御部３５、記憶部３６およびＩ／Ｆ部３７を備えて構成される。デジタル機器３としては、例えば、デジタルスチルカメラ、デジタルビデオカメラ、監視用や車載用等の用途のモニタカメラ、携帯電話機や携帯情報端末（ＰＤＡ）等の携帯端末、パーソナルコンピュータおよびモバイルコンピュータを挙げることができ、これらの周辺機器（例えば、マウス、スキャナおよびプリンタなど）を含んでよい。【０１０２】
撮像部３０は、撮像装置２１と撮像素子１７とを備えて構成される。撮像装置２１は、図１に示したような広角光学系１を備え、広角光学系１が所定の結像面上に、図２に示す例では撮像素子１７上に被写体の光学像を形成可能な構成とされている図略の撮像レンズ装置と、光軸方向にレンズを駆動しフォーカシングを行うための図略のレンズ駆動装置等とを備えて構成されている。被写体からの光線は、広角光学系１によって撮像素子１７の受光面上に結像され、被写体の光学像となる。【０１０３】
撮像素子１７は、撮像装置２１の撮像レンズ装置により導かれた被写体の光学像を電気的な信号に変換する素子であり、上述したように、広角光学系１により結像された被写体の光学像をＲ，Ｇ，Ｂの色成分の電気信号（画像信号）に変換し、Ｒ，Ｇ，Ｂ各色の画像信号として画像生成部３１に出力する。撮像素子１７は、制御部３５によって静止画あるいは動画のいずれか一方の撮像、または、撮像素子１７における各画素の出力信号の読出し（水平同期、垂直同期、転送）等の撮像動作が制御される。撮像素子１７は、例えば、ＣＣＤやＣＭＯＳ等の固体撮像素子であってよく、またカラーの撮像素子やモノクロの撮像素子であってよい。【０１０４】
画像生成部３１は、撮像素子１７からのアナログ出力信号に対し、増幅処理、デジタル変換処理などを行うと共に、画像全体に対して適正な黒レベルの決定、γ補正、ホワイトバランス調整（ＷＢ調整）、輪郭補正および色ムラ補正などの周知の画像処理を行って、画像信号から各画素の画像データを生成する。画像生成部３１で生成された画像データは、画像データバッファ３２に出力される。【０１０５】
画像データバッファ３２は、画像データを一時的に記憶するとともに、この画像データに対し画像処理部３３によって後述の処理を行うための作業領域として用いられるメモリであり、例えば、揮発性の記憶素子であるＲＡＭ（Random Access Memory）などで構成される。【０１０６】
画像処理部３３は、画像データバッファ３２の画像データに対し、解像度変換等の画像処理を行う回路である。また、必要に応じて画像処理部３３は、撮像素子１７の受光面上に形成される被写体の光学像における歪みを補正する公知の歪み補正処理等の、広角光学系１では補正しきれなかった収差を補正するように構成されてもよい。歪み補正は、収差によって歪んだ画像を肉眼で見える光景と同様な相似形の略歪みのない自然な画像に補正するものである。このように構成することによって、撮像装置２１の前記撮像レンズ装置により撮像素子１７へ導かれた被写体の光学像に歪みが生じていたとしても、略歪みのない自然な画像を生成することが可能となる。【０１０７】
駆動部３４は、制御部３５から出力される制御信号に基づいて図略の前記レンズ駆動装置を動作させることによって、広角光学系１のフォーカシングを行う回路である。【０１０８】
制御部３５は、例えばマイクロプロセッサ、記憶素子およびその周辺回路などを備えて構成され、撮像部３０、画像生成部３１、画像データバッファ３２、画像処理部３３、駆動部３４、記憶部３６およびＩ／Ｆ部３７の各部の動作をその機能に従って制御する。すなわち、この制御部３５によって、撮像装置２１は、被写体の静止画撮影および動画撮影の少なくとも一方の撮影を実行するよう制御される。【０１０９】
記憶部３６は、被写体の静止画撮影または動画撮影によって生成された画像データを記憶する記憶回路であり、例えば、不揮発性の記憶素子であるＲＯＭ（Read Only Memory）や、書き換え可能な不揮発性の記憶素子であるＥＥＰＲＯＭ（Electrically Erasable Programmable Read Only Memory）や、ＲＡＭなどを備えて構成される。つまり、記憶部３６は、静止画用および動画用のメモリとしての機能を有する。【０１１０】
Ｉ／Ｆ部３７は、外部機器と画像データを送受信するインターフェースであり、例えば、ＵＳＢやＩＥＥＥ１３９４などの規格に準拠したインターフェースである。【０１１１】
このような構成のデジタル機器３の撮像動作に次について説明する。【０１１２】
静止画を撮影する場合は、制御部３５は、撮像装置２１に静止画の撮影を行わせるように制御すると共に、駆動部３４を介して撮像装置２１の図略の前記レンズ駆動装置を動作させ、フォーカシングを行う。これにより、ピントの合った光学像が撮像素子１７の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像が図略のディスプレイ（表示装置）に表示される。そして、撮影者は、前記ディスプレイを参照することで、主被写体をその画面中の所望の位置に収まるように調整することが可能となる。この状態でいわゆる図略のシャッタボタンが押されることによって、静止画用のメモリとしての記憶部３６に画像データが格納され、静止画像が得られる。【０１１３】
また、動画撮影を行う場合は、制御部３５は、撮像装置２１に動画の撮影を行わせるように制御する。後は、静止画撮影の場合と同様にして、撮影者は、前記ディスプレイを参照することで、撮像装置２１を通して得た被写体の像が、その画面中の所望の位置に収まるように調整することができる。この場合において、静止画撮影と同様に、前記シャッタボタンを押すことによって、動画撮影が開始される。【０１１４】
動画撮影時、制御部３５は、撮像装置２１に動画の撮影を行わせるように制御すると共に、駆動部３４を介して撮像装置２１の前記レンズ駆動装置を動作させ、フォーカシングを行う。これによって、ピントの合った光学像が撮像素子１７の受光面に周期的に繰り返し結像され、Ｒ、Ｇ、Ｂの色成分の画像信号に変換された後、画像生成部３１に出力される。その画像信号は、画像データバッファ３２に一時的に記憶され、画像処理部３３により画像処理が行われた後、その画像信号に基づく画像が図略の前記ディスプレイに表示される。そして、もう一度、前記シャッタボタンを押すことで、動画撮影が終了する。撮影された動画像は、動画用のメモリとしての記憶部３６に導かれて格納される。【０１１５】
このようなデジタル機器３や撮像装置２１（前記撮像レンズ装置）では、小型（コンパクト）でありながら、背景技術に較べてより良好な光学特性を有する広角光学系１を備えるので、小型化を図りつつ高画素な撮像素子１７を採用することができる。【０１１６】
次に、この広角光学系１を備えたデジタル機器の具体例として、携帯電話機に撮像装置２１を搭載した場合および車載用のモニタカメラに撮像装置２１を搭載した場合について、それぞれ、以下に説明する。【０１１７】
図４は、デジタル機器の一実施形態を示すカメラ付携帯電話機の外観構成図である。図４（Ａ）は、携帯電話機の操作面を示し、図４（Ｂ）は、操作面の裏面、つまり背面を示す。【０１１８】
図４において、携帯電話機５には、上部にアンテナ５１が備えられ、その操作面には、図４（Ａ）に示すように、長方形のディスプレイ５２、画像撮影モードの起動および静止画撮影と動画撮影との切り替えを行う画像撮影ボタン５３、シャッタボタン５５およびダイヤルボタン５６が備えられている。そして、この携帯電話機５には、携帯電話網を用いた電話機能を実現する回路が内蔵されると共に、上述した撮像部３０、画像生成部３１、画像データバッファ３２、画像処理部３３、駆動部３４、制御部３５および記憶部３６が内蔵されており、撮像部３０の撮像装置２１が背面に臨んでいる。【０１１９】
画像撮影ボタン５３が操作されると、その操作内容を表す制御信号が制御部３５へ出力され、制御部３５は、その操作内容に応じた動作を実行する。そして、シャッタボタン５５が操作されると、その操作内容を表す制御信号が制御部３５へ出力され、制御部３５は、その操作内容に応じた動作を実行する。こうして静止画、あるいは動画が撮像される。【０１２０】
また、本実施形態にかかる広角光学系１は、所定位置に取り付けられ、取り付けられた位置周辺の所定領域の被写体を撮像するモニタカメラ、例えば、車両の周辺領域を撮像する車載用のモニタカメラに好適に搭載される。【０１２１】
図５は、デジタル機器の一実施形態を示す車載用のモニタカメラの概要を説明するための図である。図５において、車載用のモニタカメラ７は、例えば車両９の後方を撮像するように、車両９の後部の所定位置に設置されており、撮像した被写体の画像は、例えばダッシュボードに設置されている図略のモニタに表示される。車載用のモニタカメラ７は、通常、車両９の上方への視野が要求されないことから、その光軸ＡＸが斜め下方を向くように斜め下方に傾斜した姿勢で車両９に取り付けられている。そして、上下方向には、モニタカメラ７の取り付け位置を通る水平線を上端とする画角２φを有する。また、本明細書においては、左右方向の画角も上下方向と同じく２φであるが、それに限られることなく、上下方向と左右方向とで画角が異なっていてもよい。【０１２２】
このような構成の車載カメラ７をバックモニタとして用いた場合の処理の流れを以下に概説する。ユーザ（運転者）は、例えば車体９のダッシュボードに設置されている図略のモニタ（表示装置）を見ながら、車体７をバックさせる。この際に、運転者が確認したい領域と車載カメラ７が撮像している領域とがずれている場合、運転者は、ダッシュボードに設けられた図略の操作ボタンを操作する等の所定の操作を行う。【０１２３】
この操作を受けて制御部３５は、駆動部３４を制御し、撮像部３０の向きを調整する。続いて、制御部３５は、撮像装置２１の前記レンズ駆動装置を駆動し、広角光学系１のフォーカシングを行う。これにより、ピントの合った光学像が撮像素子１７の受光面に結像され、Ｒ、Ｇ、Ｂの色成分の画像信号に変換された後、画像生成部３１に出力される。その画像信号は、画像データバッファ３２に一時的に記憶され、画像処理部３３により画像処理が行われる。こうして運転者が確認したい領域の略自然な画像は、ダッシュボードに設置されている前記モニタに表示される。
＜広角光学系のより具体的な実施形態の説明＞
以下、図１に示すような広角光学系１、すなわち図３に示すようなデジタル機器３に搭載される撮像装置２１に備えられる広角光学系１の具体的な構成を、図面を参照しつつ説明する。
【実施例】
【０１２４】
［実施例１］
図６は、実施例１の広角光学系におけるレンズ群の配列を示す断面図である。図２４および図２５は、実施例１の広角光学系におけるレンズ群の収差図である。【０１２５】
実施例１の広角光学系１Ａは、図６に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズ１２〜１４は、それぞれ、両面が非球面であり、例えばプラスチックなどの樹脂材料製レンズである。【０１２６】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１２７】
図６において、各レンズ面に付されている番号ｒｉ（ｉ＝１，２，３，・・・）は、物体側から数えた場合のｉ番目のレンズ面（ただし、レンズの接合面は１つの面として数えるものとする。）であり、ｒｉに「＊」印が付されている面は、非球面であることを示す。なお、開口絞りＳＴ、平行平板ＦＴの両面および撮像素子ＳＲの受光面も１つの面として扱っている。このような取り扱いおよび符号の意義は、後述の実施例２ないし実施例１８についても同様である（図７ないし図２３）。ただし、全く同一のものであるという意味ではなく、例えば、各実施例１〜１８の各図６〜２３を通じて、最も物体側に配置されるレンズ面には、同じ符号（ｒ１）が付されているが、これらの曲率等が各実施例１〜１８を通じて同一であるという意味ではない。【０１２８】
このような構成の下で、物体側から入射した光線は、光軸ＡＸに沿って、順に第１レンズＬ１、第２レンズＬ２、第３レンズＬ３、開口絞りＳＴ、第４レンズＬ４および平行平板ＦＴを通過し、撮像素子ＳＲの受光面に物体の光学像を形成する。そして、撮像素子ＳＲでは、光学像が電気的な信号に変換される。この電気信号は、必要に応じて所定のデジタル画像処理などが施され、デジタル映像信号として例えばデジタルカメラ等のデジタル機器のメモリに記録されたり、有線あるいは無線の通信によって他のデジタル機器に伝送されたりする。【０１２９】
実施例１の広角光学系１Ａにおける、各レンズのコンストラクションデータを以下に示す。【０１３０】
数値実施例１
単位  ｍｍ
面データ
面番号          ｒ        ｄ        ｎｄ        νｄ
物面            ∞        ∞
１          14.154      1.200      1.83481      42.72
２            3.840      2.530
３＊          2.887      1.000      1.53048      55.72
４＊          0.693      0.895
５＊          1.942      1.729      1.63550      23.89
６＊        -5.435      0.671
７（絞り）      ∞       0.504
８＊          3.154      1.471      1.53048      55.72
９＊        -1.066      0.900
１０            ∞       0.500      1.51680      64.20
１１            ∞       0.100
像面            ∞
非球面データ
第３面
Ｋ＝-3.0000e+001，Ａ４＝-1.3364e-002，Ａ６＝1.3918e-003，Ａ８＝-6.9228e-005，Ａ
１０＝1.3057e-006
第４面
Ｋ＝-1.0000e+000，Ａ４＝-1.2584e-002，Ａ６＝-8.8066e-002，Ａ８＝3.7501e-002，Ａ
１０＝-4.8796e-003
第５面
Ｋ＝0.0000e+000，Ａ４＝4.6932e-002，Ａ６＝-6.3958e-002，Ａ８＝2.4821e-002，Ａ１
０＝-3.6310e-003
第６面
Ｋ＝0.0000e+000，Ａ４＝2.3370e-002，Ａ６＝1.8813e-003，Ａ８＝-2.2382e-003，Ａ１
０＝-5.8927e-004，Ａ１２＝5.1484e-004
第８面
Ｋ＝0.0000e+000，Ａ４＝-8.2144e-002，Ａ６＝1.3260e-001，Ａ８＝-1.4095e-001，Ａ１０＝5.9375e-002
第９面
Ｋ＝-2.0000e+000，Ａ４＝-7.4633e-002，Ａ６＝1.1084e-001，Ａ８＝-5.9296e-002，Ａ
１０＝1.2612e-002
各種データ
焦点距離        0.753
Ｆナンバ        2.801
半画角        101.595
像高            1.700
レンズ全長    11.352
ＢＦ            1.352
上記の面データにおいて、面番号は、図６に示した各レンズ面に付した符号ｒｉ（ｉ＝１，２，３，…）の番号ｉが対応する。番号ｉに＊が付された面は、非球面（非球面形状の屈折光学面または非球面と等価な屈折作用を有する面）であることを示す。【０１３１】
また、“ｒ”は、各面の曲率半径（単位はｍｍ）、“ｄ”は、無限遠合焦状態での光軸上の各レンズ面の間隔（軸上面間隔）、“ｎｄ”は、各レンズのｄ線（波長５８７．５６ｎｍ）に対する屈折率、“νｄ”は、アッベ数をそれぞれ示している。なお、開口絞りＳＴ、平行平面板ＦＴの両面、撮像素子ＳＲの受光面の各面は、平面であるために、それらの曲率半径は、∞（無限大）である。【０１３２】
上記の非球面データは、非球面とされている面（面データにおいて番号ｉに＊が付された面）の２次曲面パラメータ（円錐係数Ｋ）と非球面係数Ａｉ（ｉ＝４，６，８，１０，１２）の値とを示すものである。なお、光学面の非球面形状は、面頂点を原点、物体から撮像素子に向かう向きをｚ軸の正の方向とするローカルな直交座標系（ｘ，ｙ，ｚ）を用い、次式により定義している。
ｚ（ｈ）＝ｃｈ２／［１＋√｛１−(1＋Ｋ)ｃ２ｈ２}]＋ΣＡｉ・ｈｉ
ただし、ｚ（ｈ）：高さｈの位置でのｚ軸方向の変位量（面頂点基準）
ｈ：ｚ軸に対して垂直な方向の高さ（ｈ２＝ｘ２＋ｙ２）
ｃ：近軸曲率（＝１／曲率半径）
Ａｉ：ｉ次の非球面係数
Ｋ：２次曲面パラメータ（円錐係数）
そして、上記非球面データにおいて、「en」は、「１０のｎ乗」を意味する。例えば、「e+001」は、「１０の＋１乗」を意味し、「e-003」は、「１０の−３乗」を意味する。【０１３３】
以上のようなレンズ配置、構成のもとでの、実施例１の広角光学系１Ａにおける各収差を図２４および図２５にそれぞれ示す。図２４の各図において左から順に、球面収差（正弦条件）（LONGITUDINAL SPHERICAL ABERRATION）、非点収差（ASTIGMATISM FIELD CURVER）および歪曲収差（DISTORTION）をそれぞれ示す。球面収差の横軸は、焦点位置のずれをｍｍ単位で表しており、その縦軸は、入射高で規格化した値で表している。非点収差の横軸は、焦点位置のずれをｍｍ単位で表しており、その縦軸は、像高をｍｍ単位で表している。歪曲収差の横軸は、実際の像高を理想像高に対する割合（％）で表しており、縦軸は、その画角を度単位で表している（ただし、ここでは半画角９０度までを表示）。また、非点収差の図中、破線は、サジタル、実線は、タンジェンシャルをそれぞれ表している。そして、図２５に横収差を示し、左側がタンジェンシャル（メリディオナル）面の場合を示し、右側がサジタル（ラディアル）面の場合を示し、上から順に、最大画角の場合、中間画角の場合および軸上の場合をそれぞれ示す。主光線に対する入射光線高さをｍｍ単位で表しており、その縦軸は、像面での主光線からずれをｍｍ単位で表している。【０１３４】
球面収差および横収差の図には、実線でｄ線（波長５８７．５６ｎｍ）、破線でｇ線（波長４３５．８４ｎｍ）、一点鎖線でＣ線（波長６５６．２８ｎｍ）の３つの光の収差をそれぞれ示してある。非点収差および歪曲収差の図は、上記ｄ線（波長５８７．５６ｎｍ）を用いた場合の結果である。【０１３５】
以上のような扱いは、以下に示す実施例２〜１８にかかるコンストラクションデータ、各収差を示す図２６〜図５９においても同様である。
［実施例２］
図７は、実施例２の広角光学系におけるレンズ群の配列を示す断面図である。図２６および図２７は、実施例２の広角光学系におけるレンズ群の収差図である。【０１３６】
実施例２の広角光学系１Ｂは、図７に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２および第３レンズＬ２、Ｌ３は、それぞれ、両面が非球面であり、例えばプラスチックなどの樹脂材料製レンズである。また、第４レンズＬ４は、片面、図７に示す例では像側の面ｒ９＊が非球面である。【０１３７】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１３８】
実施例２の広角光学系１Ｂにおける、各レンズのコンストラクションデータを以下に示す。【０１３９】
数値実施例２
単位  ｍｍ
面データ
面番号          ｒ        ｄ        ｎｄ        νｄ
物面            ∞        ∞
１          14.266      1.198      1.83481      42.72
２            3.882      2.547
３＊          2.690      1.000      1.53048      55.72
４＊          0.694      0.859
５＊          1.967      1.745      1.63550      23.89
６＊        -6.055      0.671
７（絞り）      ∞      0.547
８            3.184      1.433      1.58913      61.24
９＊        -1.177      0.900
１０            ∞       0.500      1.51680      64.20
１１            ∞       0.100
像面            ∞
非球面データ
第３面
Ｋ＝-3.0000e+001，Ａ４＝-1.3478e-002，Ａ６＝1.3586e-003，Ａ８＝-5.5396e-005，Ａ
１０＝4.5377e-007
第４面
Ｋ＝-1.0000e+000，Ａ４＝-1.4175e-002，Ａ６＝-8.8830e-002，Ａ８＝3.8392e-002，Ａ
１０＝-5.0309e-003
第５面
Ｋ＝0.0000e+000，Ａ４＝5.6194e-002，Ａ６＝-6.4821e-002，Ａ８＝2.4513e-002，Ａ１
０＝-3.5021e-003
第６面
Ｋ＝0.0000e+000，Ａ４＝3.2029e-002，Ａ６＝-6.3523e-003，Ａ８＝1.7772e-003，Ａ１
０＝-1.4859e-003，Ａ１２＝5.7499e-004
第９面
Ｋ＝-2.0000e+000，Ａ４＝-2.3177e-002，Ａ６＝9.0449e-002，Ａ８＝-4.5930e-002，Ａ
１０＝8.6151e-003
各種データ
焦点距離        0.753
Ｆナンバ        2.796
半画角        102.149
像高            1.701
レンズ全長    11.350
ＢＦ            1.350
以上のようなレンズ配置、構成のもとでの、実施例２の広角光学系１Ｂにおける球面収差（正弦条件）、非点収差および歪曲収差を図２６に左から右へ順にそれぞれ示し、横収差を図２７に示す。
［実施例３］
図８は、実施例３の広角光学系におけるレンズ群の配列を示す断面図である。図２８および図２９は、実施例３の広角光学系におけるレンズ群の収差図である。【０１４０】
実施例３の広角光学系１Ｃは、図８に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面である。また、第２および第４レンズＬ２、Ｌ４は、例えばプラスチックなどの樹脂材料製レンズである。【０１４１】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１４２】
実施例３の広角光学系１Ｃにおける、各レンズのコンストラクションデータを以下に示す。【０１４３】
数値実施例３
単位  ｍｍ
面データ
面番号          ｒ        ｄ        ｎｄ        νｄ
物面            ∞        ∞
１          13.984      1.200      1.83481      42.72
２            3.657      2.473
３＊          2.957      1.000      1.53048      55.72
４＊          0.692      0.863
５＊          2.001      1.650      1.80542      26.13
６＊        -11.213      0.646
７（絞り）      ∞      0.385
８＊          5.618      1.513      1.53048      55.72
９＊        -0.907      0.900
１０            ∞       0.500      1.51680      64.20
１１            ∞       0.100
像面            ∞
非球面データ
第３面
Ｋ＝-3.0000e+001，Ａ４＝-1.7603e-002，Ａ６＝2.2353e-003，Ａ８＝-1.4527e-004，Ａ１０＝4.0508e-006
第４面
Ｋ＝-1.0000e+000，Ａ４＝-4.7670e-002，Ａ６＝-6.3674e-002，Ａ８＝3.2022e-002，Ａ１０＝-4.5557e-003
第５面
Ｋ＝0.0000e+000，Ａ４＝3.0319e-002，Ａ６＝-4.6400e-002，Ａ８＝1.9102e-002，Ａ１０＝-2.8174e-003
第６面
Ｋ＝0.0000e+000，Ａ４＝1.0089e-003，Ａ６＝1.9847e-002，Ａ８＝-8.0153e-003，Ａ１０＝-4.5280e-004，Ａ１２＝8.4110e-004
第８面
Ｋ＝0.0000e+000，Ａ４＝-1.8624e-001，Ａ６＝2.8312e-001，Ａ８＝-3.0529e-001，Ａ１０＝1.2919e-001
第９面
Ｋ＝-2.0000e+000，Ａ４＝-1.5315e-001，Ａ６＝1.3069e-001，Ａ８＝-9.6264e-002，Ａ１０＝2.8352e-002
各種データ
焦点距離        0.753
Ｆナンバ        2.796
半画角        100.105
像高            1.699
レンズ全長    11.082
ＢＦ            1.351
以上のようなレンズ配置、構成のもとでの、実施例３の広角光学系１Ｃにおける球面収差（正弦条件）、非点収差および歪曲収差を図２８に左から右へ順にそれぞれ示し、横収差を図２９に示す。
［実施例４］
図９は、実施例４の広角光学系におけるレンズ群の配列を示す断面図である。図３０および図３１は、実施例４の広角光学系におけるレンズ群の収差図である。【０１４４】
実施例４の広角光学系１Ｄは、図９に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１４５】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１４６】
実施例４の広角光学系１Ｄにおける、各レンズのコンストラクションデータを以下に示す。【０１４７】
数値実施例４
単位  ｍｍ
面データ
面番号          ｒ        ｄ        ｎｄ        νｄ
物面            ∞        ∞
１          13.999      1.100      1.88300      40.81
２            3.837      2.690
３＊        29.399      1.000      1.53048      55.72
４＊          1.016      0.799
５＊          1.962      1.747      1.63200      23.41
６＊        -5.019      0.640
７（絞り）      ∞       0.478
８＊          4.008      1.461      1.53048      55.72
９＊        -1.098      0.565
１０            ∞       0.500      1.56400      47.00
１１            ∞       0.520
像面            ∞
非球面データ
第３面
Ｋ＝-3.0000e+001，Ａ４＝-5.4043e-003，Ａ６＝4.0794e-005，Ａ８＝5.0085e-005，Ａ１０＝-3.0399e-006
第４面
Ｋ＝-2.0788e+000，Ａ４＝2.4740e-001，Ａ６＝-1.7754e-001，Ａ８＝5.7603e-002，Ａ１０＝-6.9424e-003
第５面
Ｋ＝0.0000e+000，Ａ４＝5.5106e-002，Ａ６＝-6.3595e-002，Ａ８＝2.4535e-002，Ａ１０＝-3.6937e-003
第６面
Ｋ＝0.0000e+000，Ａ４＝4.9789e-002，Ａ６＝-3.3464e-002，Ａ８＝2.1739e-002，Ａ１０＝-9.4383e-003，Ａ１２＝1.9006e-003
第８面
Ｋ＝0.0000e+000，Ａ４＝-1.2333e-001，Ａ６＝1.7672e-001，Ａ８＝-2.1232e-001，Ａ１０＝8.5862e-002
第９面
Ｋ＝-2.0000e+000，Ａ４＝-7.5634e-002，Ａ６＝5.8591e-002，Ａ８＝-2.2662e-002，Ａ１０＝1.3248e-003
各種データ
焦点距離        0.753
Ｆナンバ        2.887
半画角        103.802
像高            1.750
レンズ全長    11.345
ＢＦ            1.430
以上のようなレンズ配置、構成のもとでの、実施例４の広角光学系１Ｄにおける球面収差（正弦条件）、非点収差および歪曲収差を図３０に左から右へ順にそれぞれ示し、横収差を図３１に示す。
［実施例５］
図１０は、実施例５の広角光学系におけるレンズ群の配列を示す断面図である。図３２および図３３は、実施例５の広角光学系におけるレンズ群の収差図である。【０１４８】
実施例５の広角光学系１Ｅは、図１０に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１４９】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１５０】
実施例５の広角光学系１Ｅにおける、各レンズのコンストラクションデータを以下に示す。【０１５１】
数値実施例５
単位  ｍｍ
面データ
面番号          ｒ        ｄ        ｎｄ        νｄ
物面            ∞        ∞
１          14.435      1.400      1.88300      40.81
２            4.201      2.806
３＊        18.046      1.000      1.53048      55.72
４＊          1.035      1.311
５＊          1.901      1.740      1.63200      23.41
６＊        -7.145      0.540
７（絞り）      ∞       0.725
８＊          2.837      1.629      1.53048      55.72
９＊        -1.663      0.502
１０            ∞       0.500      1.56400      47.00
１１            ∞       0.500
像面            ∞
非球面データ
第３面
Ｋ＝-5.0000e+000，Ａ４＝-2.8407e-003，Ａ６＝-2.0654e-004，Ａ８＝1.8328e-005，Ａ１０＝1.3083e-006，Ａ１２＝-1.1270e-007
第４面
Ｋ＝-2.0000e+000，Ａ４＝1.6634e-001，Ａ６＝-8.7701e-002，Ａ８＝2.0131e-002，Ａ１０＝-1.3772e-003，Ａ１２＝-9.1985e-005
第５面
Ｋ＝0.0000e+000，Ａ４＝3.0146e-003，Ａ６＝-2.1090e-002，Ａ８＝5.9446e-003，Ａ１０＝-2.8002e-005，Ａ１２＝-3.0303e-004
第６面
Ｋ＝0.0000e+000，Ａ４＝2.0048e-002，Ａ６＝-2.3632e-003，Ａ８＝2.2588e-004，Ａ１０＝-2.2209e-003，Ａ１２＝9.1617e-000
第８面
Ｋ＝0.0000e+000，Ａ４＝-6.6502e-002，Ａ６＝7.7287e-002，Ａ８＝-5.9858e-002，Ａ１０＝2.3673e-002，Ａ１２＝-4.0895e-003
第９面
Ｋ＝-2.0000e+000，Ａ４＝-1.3332e-002，Ａ６＝2.3115e-002，Ａ８＝1.7916e-003，Ａ１０＝-3.5067e-003，Ａ１２＝4.7323e-004
各種データ
焦点距離        0.891
Ｆナンバ        2.795
半画角        104.564
像高            2.068
レンズ全長    12.508
ＢＦ            1.357
以上のようなレンズ配置、構成のもとでの、実施例５の広角光学系１Ｅにおける球面収差（正弦条件）、非点収差および歪曲収差を図３２に左から右へ順にそれぞれ示し、横収差を図３３に示す。
［実施例６］
図１１は、実施例６の広角光学系におけるレンズ群の配列を示す断面図である。図３４および図３５は、実施例６の広角光学系におけるレンズ群の収差図である。【０１５２】
実施例６の広角光学系１Ｆは、図１１に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１５３】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１５４】
実施例６の広角光学系１Ｆにおける、各レンズのコンストラクションデータを以下に示す。【０１５５】
数値実施例６
単位  ｍｍ
面データ
面番号          ｒ        ｄ        ｎｄ        νｄ
物面            ∞        ∞
１          14.723      1.400      1.88300      40.81
２            4.376      2.824
３＊        11.328      1.000      1.53048      55.72
４＊          1.060      1.144
５＊          1.997      1.870      1.63200      23.41
６＊        -10.601      0.479
７（絞り）      ∞      0.881
８＊          3.921      1.973      1.53048      55.72
９＊        -1.761      1.024
１０            ∞       0.500      1.56400      47.00
１１            ∞       0.500
像面            ∞
非球面データ
第３面
Ｋ＝-2.8612e+001，Ａ４＝-2.0350e-003，Ａ６＝-1.6746e-004，Ａ８＝7.2034e-006，Ａ１０＝1.3033e-006，Ａ１２＝-7.3695e-00
第４面
Ｋ＝-2.0000e+000，Ａ４＝1.1433e-001，Ａ６＝-4.2316e-002，Ａ８＝5.1180e-003，Ａ１０＝4.1021e-004，Ａ１２＝-1.0701e-004
第５面
Ｋ＝0.0000e+000，Ａ４＝-3.0906e-003，Ａ６＝-3.3491e-003，Ａ８＝-2.9631e-003，Ａ１０＝1.8309e-003，Ａ１２＝-3.3866e-004
第６面
Ｋ＝0.0000e+000，Ａ４＝1.6870e-002，Ａ６＝-1.1841e-003，Ａ８＝4.9275e-003，Ａ１０＝-5.8262e-003，Ａ１２＝1.7245e-003
第８面
Ｋ＝0.0000e+000，Ａ４＝-3.2047e-002，Ａ６＝2.2974e-002，Ａ８＝-1.0720e-002，Ａ１０＝2.7148e-003，Ａ１２＝-3.1166e-004
第９面
Ｋ＝-2.0000e+000，Ａ４＝-2.4097e-003，Ａ６＝1.8993e-003，Ａ８＝1.5419e-003，Ａ１０＝-3.7264e-004，Ａ１２＝9.0955e-006
各種データ
焦点距離        1.122
Ｆナンバ        2.791
半画角        104.156
像高            2.757
レンズ全長  13.4628
ＢＦ            1.891
以上のようなレンズ配置、構成のもとでの、実施例６の広角光学系１Ｆにおける球面収差（正弦条件）、非点収差および歪曲収差を図３４に左から右へ順にそれぞれ示し、横収差を図３５に示す。
［実施例７］
図１２は、実施例７の広角光学系におけるレンズ群の配列を示す断面図である。図３６および図３７は、実施例７の広角光学系におけるレンズ群の収差図である。【０１５６】
実施例７の広角光学系１Ｇは、図１２に示すように、物体側から像側へ順に、物体側に凸の負メニスカスレンズ（第１レンズＬ１）と、両凹の負レンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１５７】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１５８】
実施例７の広角光学系１Ｇにおける、各レンズのコンストラクションデータを以下に示す。【０１５９】
数値実施例７
単位  ｍｍ
面データ
面番号          ｒ        ｄ        ｎｄ        νｄ
物面            ∞        ∞
１           11.636      1.400      1.88300      40.81
２            3.826      3.513
３＊        -5.985      0.764      1.53048      55.72
４＊          0.772      0.407
５＊          1.168      1.413      1.63200      23.41
６＊        -8.197      0.361
７（絞り）      ∞      0.185
８＊          3.200      1.441      1.53048      55.72
９＊        -0.917      0.800
１０            ∞       0.300      1.56400      47.00
１１            ∞       0.300
像面            ∞
非球面データ
第３面
Ｋ＝-5.0000e+000，Ａ４＝-3.6223e-003，Ａ６＝1.1909e-003，Ａ８＝-6.3586e-005，Ａ１０＝1.9291e-005，Ａ１２＝-3.0988e-006
第４面
Ｋ＝-3.6201e+000，Ａ４＝1.0213e+000，Ａ６＝-1.1904e+000，Ａ８＝5.4191e-001，Ａ１０＝2.9634e-002，Ａ１２＝-7.9731e-002
第５面
Ｋ＝0.0000e+000，Ａ４＝1.3442e-001，Ａ６＝5.5084e-002，Ａ８＝-6.8268e-001，Ａ１０＝8.1707e-001，Ａ１２＝-3.6301e-001
第６面
Ｋ＝0.0000e+000，Ａ４＝2.4454e-001，Ａ６＝-2.9441e-001，Ａ８＝-9.8690e-002，Ａ１０＝6.1323e-003，Ａ１２＝8.8561e-002
第８面
Ｋ＝0.0000e+000，Ａ４＝-2.9917e-001，Ａ６＝2.3425e+000，Ａ８＝-8.9235e+000，Ａ１０＝1.5921e+001，Ａ１２＝-8.2016e+000
第９面
Ｋ＝-2.0000e+000，Ａ４＝-1.8169e-001，Ａ６＝2.8826e-001，Ａ８＝-1.8024e-001，Ａ１０＝9.6407e-002，Ａ１２＝7.3851e-003
各種データ
焦点距離        0.665
Ｆナンバ        2.806
半画角        104.016
像高            1.378
レンズ全長    10.799
ＢＦ            1.315
以上のようなレンズ配置、構成のもとでの、実施例７の広角光学系１Ｇにおける球面収差（正弦条件）、非点収差および歪曲収差を図３６に左から右へ順にそれぞれ示し、横収差を図３７に示す。
［実施例８］
図１３は、実施例８の広角光学系におけるレンズ群の配列を示す断面図である。図３８および図３９は、実施例８の広角光学系におけるレンズ群の収差図である。【０１６０】
実施例８の広角光学系１Ｈは、図１３に示すように、物体側から像側へ順に、物体側に凸の負メニスカスレンズ（第１レンズＬ１）と、物体側に凸の負メニスカスレンズ（第２レンズＬ２）と、物体側に凸の正メニスカスレンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面である。これら第２および第４レンズＬ２、Ｌ４は、それぞれ、例えばプラスチックなどの樹脂材料製レンズである。【０１６１】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１６２】
実施例８の広角光学系１Ｈにおける、各レンズのコンストラクションデータを以下に示す。【０１６３】
数値実施例８
単位  ｍｍ
面データ
面番号          ｒ        ｄ        ｎｄ        νｄ
物面            ∞        ∞
１          15.120      1.400      1.89800      34.01
２            4.206      2.648
３＊          5.115      1.000      1.53048      55.72
４＊          0.689      1.042
５＊          2.432      1.603      2.00170      20.64
６＊        39.577      0.662
７（絞り）      ∞       0.391
８＊          3.773      1.867      1.53048      55.72
９＊        -0.847      0.500
１０            ∞       0.500      1.51680      64.20
１１            ∞       0.500
像面            ∞
非球面データ
第３面
Ｋ＝-8.9708e+000，Ａ４＝-8.5404e-003，Ａ６＝1.6037e-004，Ａ８＝1.7163e-005，Ａ１０＝1.8196e-006，Ａ１２＝-1.6486e-007
第４面
Ｋ＝-2.0582e+000，Ａ４＝1.4364e-001，Ａ６＝-9.2621e-002，Ａ８＝2.4919e-002，Ａ１
０＝-1.8777e-003，Ａ１２＝-1.2094e-004
第５面
Ｋ＝0.0000e+000，Ａ４＝-8.1504e-003，Ａ６＝2.8126e-003，Ａ８＝-3.3407e-003，Ａ１０＝2.0200e-003，Ａ１２＝-3.4010e-004
第６面
Ｋ＝0.0000e+000，Ａ４＝1.4359e-002，Ａ６＝-9.5648e-003，Ａ８＝2.2659e-002，Ａ１０＝-1.4797e-002，Ａ１２＝2.8253e-003
第８面
Ｋ＝0.0000e+000，Ａ４＝-9.4837e-002，Ａ６＝1.8112e-001，Ａ８＝-1.9637e-001，Ａ１０＝9.9926e-002，Ａ１２＝-1.9270e-002
第９面
Ｋ＝-2.0000e+000，Ａ４＝-6.5541e-003，Ａ６＝-4.3145e-002，Ａ８＝3.7525e-002，Ａ１０＝-1.0082e-002，Ａ１２＝6.7158e-004
各種データ
焦点距離        0.599
Ｆナンバ        2.745
半画角        103.387
像高            2.068
レンズ全長    11.963
ＢＦ            1.349
以上のようなレンズ配置、構成のもとでの、実施例８の広角光学系１Ｈにおける球面収差（正弦条件）、非点収差および歪曲収差を図３８に左から右へ順にそれぞれ示し、横収差を図３９に示す。
［実施例９］
図１４は、実施例９の広角光学系におけるレンズ群の配列を示す断面図である。図４０および図４１は、実施例９の広角光学系におけるレンズ群の収差図である。【０１６４】
実施例９の広角光学系１Ｉは、図１４に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１６５】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１６６】
実施例９の広角光学系１Ｉにおける、各レンズのコンストラクションデータを以下に示す。【０１６７】
数値実施例９
単位  ｍｍ
面データ
面番号          ｒ        ｄ        ｎｄ        νｄ
物面            ∞        ∞
１          15.758      1.400      1.88300      40.81
２            4.186      2.487
３＊          3.491      1.000      1.53048      55.72
４＊          0.703      1.752
５＊          2.081      1.780      1.75120      24.80
６＊        -19.680      0.618
７（絞り）      ∞       0.602
８＊          3.778      1.575      1.53048      55.72
９＊        -1.296      0.533
１０            ∞       0.500      1.51680      64.20
１１            ∞       0.500
像面            ∞
非球面データ
第３面
Ｋ＝-7.2600e+000，Ａ４＝-5.4462e-003，Ａ６＝-4.4312e-004，Ａ８＝4.5943e-005，Ａ１０＝1.8651e-006，Ａ１２＝-1.8278e-007
第４面
Ｋ＝-2.0000e+000，Ａ４＝1.7009e-001，Ａ６＝-9.2952e-002，Ａ８＝2.1326e-002，Ａ１０＝-1.8453e-003，Ａ１２＝9.8857e-006
第５面
Ｋ＝0.0000e+000，Ａ４＝-1.3670e-002，Ａ６＝5.3090e-003，Ａ８＝-5.6228e-003，Ａ１０＝2.3670e-003，Ａ１２＝-3.5594e-004
第６面
Ｋ＝0.0000e+000，Ａ４＝9.2507e-003，Ａ６＝1.1698e-002，Ａ８＝-4.3537e-003
第８面
Ｋ＝0.0000e+000，Ａ４＝-6.7739e-002，Ａ６＝1.0282e-001，Ａ８＝-1.1549e-001，Ａ１０＝6.5513e-002，Ａ１２＝-1.3741e-002
第９面
Ｋ＝-2.0000e+000，Ａ４＝5.3266e-002，Ａ６＝-8.3637e-002，Ａ８＝7.4917e-002，Ａ１０＝-3.2920e-002，Ａ１２＝5.6561e-003
各種データ
焦点距離        0.740
Ｆナンバ        2.753
半画角        104.394
像高            2.068
レンズ全長    12.607
ＢＦ            1.392
以上のようなレンズ配置、構成のもとでの、実施例９の広角光学系１Ｉにおける球面収差（正弦条件）、非点収差および歪曲収差を図４０に左から右へ順にそれぞれ示し、横収差を図４１に示す。
［実施例１０］
図１５は、実施例１０の広角光学系におけるレンズ群の配列を示す断面図である。図４２および図４３は、実施例１０の広角光学系におけるレンズ群の収差図である。【０１６８】
実施例１０の広角光学系１Ｊは、図１５に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１６９】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１７０】
実施例１０の広角光学系１Ｊにおける、各レンズのコンストラクションデータを以下に示す。【０１７１】
数値実施例１０
単位  ｍｍ
面データ
面番号          ｒ        ｄ        ｎｄ        νｄ
物面            ∞        ∞
１          18.040      1.400      1.88300      40.81
２            4.970      3.207
３＊          4.198      1.000      1.53048      55.72
４＊          0.673      1.247
５＊          2.224      1.709      1.76130      18.40
６＊        -27.171      0.733
７（絞り）      ∞       0.460
８＊          3.506      1.684      1.53048      55.72
９＊        -1.142      0.743
１０            ∞       0.500      1.51680      64.20
１１            ∞       0.500
像面            ∞
非球面データ
第３面
Ｋ＝-1.1384e+001，Ａ４＝-2.0656e-003，Ａ６＝-3.9876e-004，Ａ８＝2.9770e-005，Ａ１０＝8.1903e-007，Ａ１２＝-7.3470e-008
第４面
Ｋ＝-2.0000e+000，Ａ４＝1.6836e-001，Ａ６＝-9.3318e-002，Ａ８＝2.1430e-002，Ａ１０＝-1.7746e-003，Ａ１２＝-2.3299e-006
第５面
Ｋ＝0.0000e+000，Ａ４＝-2.7011e-002，Ａ６＝7.8703e-003，Ａ８＝-5.9471e-003，Ａ１０＝2.3364e-003，Ａ１２＝-3.1493e-004
第６面
Ｋ＝0.0000e+000，Ａ４＝-6.7325e-003，Ａ６＝2.0818e-002，Ａ８＝-5.6452e-003
第８面
Ｋ＝0.0000e+000，Ａ４＝-7.3548e-002，Ａ６＝1.2354e-001，Ａ８＝-1.3762e-001，Ａ１０＝7.8947e-002，Ａ１２＝-1.6892e-002
第９面
Ｋ＝-2.0000e+000，Ａ４＝1.8419e-002，Ａ６＝-6.8344e-002，Ａ８＝7.3910e-002，Ａ１０＝-3.4047e-002，Ａ１２＝6.0222e-003
各種データ
焦点距離        0.691
Ｆナンバ        2.750
半画角        104.090
像高            2.068
レンズ全長    13.040
ＢＦ            1.601
以上のようなレンズ配置、構成のもとでの、実施例１０の広角光学系１Ｊにおける球面収差（正弦条件）、非点収差および歪曲収差を図４２に左から右へ順にそれぞれ示し、横収差を図４３に示す。
［実施例１１］
図１６は、実施例１１の広角光学系におけるレンズ群の配列を示す断面図である。図４４および図４５は、実施例１１の広角光学系におけるレンズ群の収差図である。【０１７２】
実施例１１の広角光学系１Ｋは、図１６に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１７３】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１７４】
実施例１１の広角光学系１Ｋにおける、各レンズのコンストラクションデータを以下に示す。【０１７５】
数値実施例１１
単位  ｍｍ
面データ
面番号          ｒ        ｄ        ｎｄ        νｄ
物面            ∞        ∞
１          17.607      1.400      1.83481      42.72
２            4.970      3.583
３＊        10.000      1.000      1.53048      55.72
４＊          0.925      1.562
５＊          1.836      1.794      1.61420      25.59
６＊        -5.646      0.528
７（絞り）      ∞       0.515
８＊          3.421      1.299      1.53048      55.72
９＊        -1.692      0.500
１０            ∞       0.500      1.51680      64.20
１１            ∞       0.500
像面            ∞
非球面データ
第３面
Ｋ＝-1.5496e+001，Ａ４＝-3.6093e-003，Ａ６＝-2.0553e-004，Ａ８＝2.1383e-005，Ａ１０＝1.6335e-006，Ａ１２＝-1.3189e-007
第４面
Ｋ＝-2.1529e+000，Ａ４＝1.5000e-001，Ａ６＝-8.7614e-002，Ａ８＝2.1241e-002，Ａ１０＝-1.4261e-003，Ａ１２＝-9.2773e-005
第５面
Ｋ＝0.0000e+000，Ａ４＝-1.3976e-002，Ａ６＝-2.1039e-002，Ａ８＝6.3676e-003，Ａ１０＝8.2538e-004，Ａ１２＝-6.5452e-004
第６面
Ｋ＝0.0000e+000，Ａ４＝1.9629e-002，Ａ６＝5.7736e-003，Ａ８＝-8.1620e-003，Ａ１０＝-9.7389e-004，Ａ１２＝1.3283e-003
第８面
Ｋ＝0.0000e+000，Ａ４＝-2.6676e-002，Ａ６＝4.1736e-002，Ａ８＝-7.3223e-002，Ａ１０＝5.6967e-002，Ａ１２＝-1.3970e-002
第９面
Ｋ＝-2.0000e+000，Ａ４＝5.1901e-002，Ａ６＝2.1804e-002，Ａ８＝-9.0973e-003，Ａ１０＝-8.7537e-003，Ａ１２＝4.3291e-003
各種データ
焦点距離        0.811
Ｆナンバ        2.781
半画角        103.960
像高            2.068
レンズ全長    13.043
ＢＦ            1.361
以上のようなレンズ配置、構成のもとでの、実施例１１の広角光学系１Ｋにおける球面収差（正弦条件）、非点収差および歪曲収差を図４４に左から右へ順にそれぞれ示し、横収差を図４５に示す。
［実施例１２］
図１７は、実施例１２の広角光学系におけるレンズ群の配列を示す断面図である。図４６および図４７は、実施例１２の広角光学系におけるレンズ群の収差図である。【０１７６】
実施例１２の広角光学系１Ｌは、図１７に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１７７】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１７８】
実施例１２の広角光学系１Ｌにおける、各レンズのコンストラクションデータを以下に示す。【０１７９】
数値実施例１２
単位  ｍｍ
面データ
面番号          ｒ        ｄ        ｎｄ        νｄ
物面            ∞        ∞
１          16.088      1.400      1.81600      46.55
２            4.205      2.861
３＊        145.176      1.000      1.53048      55.72
４＊          1.009      1.105
５＊          1.835      2.337      1.62090      24.44
６＊        -4.093      0.490
７（絞り）      ∞       0.580
８＊          3.166      1.706      1.53048      55.72
９＊        -2.092      0.500
１０            ∞       0.500      1.51680      64.20
１１            ∞       0.500
像面            ∞
非球面データ
第３面
Ｋ＝-5.0000e+000，Ａ４＝-1.7796e-003，Ａ６＝-7.4829e-005，Ａ８＝1.4634e-005，Ａ１０＝9.4500e-007，Ａ１２＝-9.8801e-008
第４面
Ｋ＝-2.0000e+000，Ａ４＝1.4934e-001，Ａ６＝-8.9554e-002，Ａ８＝2.3089e-002，Ａ１０＝-1.1566e-003，Ａ１２＝-2.6233e-004
第５面
Ｋ＝0.0000e+000，Ａ４＝-1.2787e-002，Ａ６＝-2.5416e-002，Ａ８＝4.8999e-003，Ａ１０＝7.7868e-004，Ａ１２＝-5.8450e-004
第６面
Ｋ＝0.0000e+000，Ａ４＝8.1740e-003，Ａ６＝-6.4806e-003，Ａ８＝-4.4905e-003，Ａ１０＝3.3276e-003，Ａ１２＝-4.7852e-004
第８面
Ｋ＝0.0000e+000，Ａ４＝-4.9925e-002，Ａ６＝7.2763e-002，Ａ８＝-8.0620e-002，Ａ１０＝4.7746e-002，Ａ１２＝-1.0609e-002
第９面
Ｋ＝-2.0000e+000，Ａ４＝-2.1696e-003，Ａ６＝2.6139e-002，Ａ８＝-3.1309e-003，Ａ１０＝-4.3895e-003，Ａ１２＝1.5380e-003
各種データ
焦点距離        0.963
Ｆナンバ        2.797
半画角        103.708
像高            2.068
レンズ全長    12.849
ＢＦ            1.370
以上のようなレンズ配置、構成のもとでの、実施例１２の広角光学系１Ｌにおける球面収差（正弦条件）、非点収差および歪曲収差を図４６に左から右へ順にそれぞれ示し、横収差を図４７に示す。
［実施例１３］
図１８は、実施例１３の広角光学系におけるレンズ群の配列を示す断面図である。図４８および図４９は、実施例１３の広角光学系におけるレンズ群の収差図である。【０１８０】
実施例１３の広角光学系１Ｍは、図１８に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１８１】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１８２】
実施例１３の広角光学系１Ｍにおける、各レンズのコンストラクションデータを以下に示す。【０１８３】
数値実施例１３
単位  ｍｍ
面データ
面番号          ｒ        ｄ        ｎｄ        νｄ
物面            ∞        ∞
１          15.285      1.076      1.80420      46.49
２            4.371      2.835
３＊        10.000      1.000      1.53048      55.72
４＊          0.955      1.257
５＊          2.039      2.757      1.63200      23.41
６＊        -3.690      0.375
７（絞り）      ∞       0.682
８＊          4.609      1.522      1.53048      55.72
９＊        -2.124      0.679
１０            ∞       0.500      1.51680      64.20
１１            ∞       0.500
像面            ∞
非球面データ
第３面
Ｋ＝-1.2923e+001，Ａ４＝-7.2249e-003，Ａ６＝2.8311e-004，Ａ８＝1.8963e-005，Ａ１０＝-5.9761e-007，Ａ１２＝-4.4340e-008
第４面
Ｋ＝-2.0000e+000，Ａ４＝1.8628e-001，Ａ６＝-1.0117e-001，Ａ８＝2.1556e-002，Ａ１０＝-1.1189e-003，Ａ１２＝-1.1522e-004
第５面
Ｋ＝0.0000e+000，Ａ４＝-7.4072e-003，Ａ６＝-1.5642e-002，Ａ８＝7.4547e-004
第６面
Ｋ＝0.0000e+000，Ａ４＝2.3906e-003，Ａ６＝-6.7022e-003，Ａ８＝4.5067e-003
第８面
Ｋ＝0.0000e+000，Ａ４＝-7.9528e-002，Ａ６＝1.1752e-001，Ａ８＝-1.2420e-001，Ａ１０＝7.0527e-002，Ａ１２＝-1.5163e-002
第９面
Ｋ＝-2.0000e+000，Ａ４＝-3.8524e-002，Ａ６＝2.3014e-002，Ａ８＝4.1851e-004，Ａ１０＝-4.8948e-003，Ａ１２＝1.5599e-003
各種データ
焦点距離        1.017
Ｆナンバ        2.802
半画角        103.831
像高            2.068
レンズ全長    13.061
ＢＦ            1.558
以上のようなレンズ配置、構成のもとでの、実施例１３の広角光学系１Ｍにおける球面収差（正弦条件）、非点収差および歪曲収差を図４８に左から右へ順にそれぞれ示し、横収差を図４９に示す。
［実施例１４］
図１９は、実施例１４の広角光学系におけるレンズ群の配列を示す断面図である。図５０および図５１は、実施例１４の広角光学系におけるレンズ群の収差図である。【０１８４】
実施例１４の広角光学系１Ｎは、図１９に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１８５】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１８６】
実施例１４の広角光学系１Ｎにおける、各レンズのコンストラクションデータを以下に示す。【０１８７】
数値実施例１４
単位  ｍｍ
面データ
面番号          ｒ        ｄ        ｎｄ        νｄ
物面            ∞        ∞
１          14.617      1.400      1.83400      37.35
２            4.061      3.011
３＊        14.980      1.000      1.53048      55.72
４＊          0.982      1.281
５＊          1.868      1.786      1.63450      23.90
６＊        -6.594      0.529
７（絞り）      ∞       0.732
８＊          3.117      1.607      1.53048      55.72
９＊        -1.562      0.500
１０            ∞       0.500      1.51680      64.20
１１            ∞       0.500
像面            ∞
非球面データ
第３面
Ｋ＝-3.0000e+001，Ａ４＝-3.2061e-003，Ａ６＝-2.1451e-004，Ａ８＝1.8572e-005，Ａ１０＝1.4226e-006，Ａ１２＝-1.1201e-007
第４面
Ｋ＝-2.0000e+000，Ａ４＝1.6697e-001，Ａ６＝-8.8464e-002，Ａ８＝2.0375e-002，Ａ１０＝-1.4067e-003，Ａ１２＝-9.5828e-005
第５面
Ｋ＝0.0000e+000，Ａ４＝4.2952e-003，Ａ６＝-2.0660e-002，Ａ８＝5.8774e-003，Ａ１０＝2.4104e-004，Ａ１２＝-4.0028e-004
第６面
Ｋ＝0.0000e+000，Ａ４＝2.5865e-002，Ａ６＝-5.4384e-004，Ａ８＝-1.4984e-003，Ａ１０＝-2.8890e-003，Ａ１２＝1.4917e-003
第８面
Ｋ＝0.0000e+000，Ａ４＝-6.2949e-002，Ａ６＝7.4237e-002，Ａ８＝-6.1957e-002，Ａ１０＝2.5910e-002，Ａ１２＝-4.6203e-003
第９面
Ｋ＝-2.0000e+000，Ａ４＝-7.9903e-003，Ａ６＝1.9876e-002，Ａ８＝1.1896e-003，Ａ１０＝-3.5518e-003，Ａ１２＝5.8601e-004
各種データ
焦点距離        0.860
Ｆナンバ        2.785
半画角        104.045
像高            2.068
レンズ全長    12.709
ＢＦ            1.363
以上のようなレンズ配置、構成のもとでの、実施例１４の広角光学系１Ｎにおける球面収差（正弦条件）、非点収差および歪曲収差を図５０に左から右へ順にそれぞれ示し、横収差を図５１に示す。
［実施例１５］
図２０は、実施例１５の広角光学系におけるレンズ群の配列を示す断面図である。図５２および図５３は、実施例１５の広角光学系におけるレンズ群の収差図である。【０１８８】
実施例１５の広角光学系１Ｏは、図２０に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１８９】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１９０】
実施例１５の広角光学系１Ｏにおける、各レンズのコンストラクションデータを以下に示す。【０１９１】
数値実施例１５
単位  ｍｍ
面データ
面番号          ｒ        ｄ        ｎｄ        νｄ
物面            ∞        ∞
１          15.303      1.400      1.80420      46.49
２            4.089      2.796
３＊        28.709      1.000      1.53048      55.72
４＊          1.031      1.354
５＊          1.845      1.740      1.60700      27.10
６＊        -5.314      0.522
７（絞り）      ∞       0.792
８＊          3.186      1.545      1.53048      55.72
９＊        -1.760      0.500
１０            ∞       0.500      1.51680      64.20
１１            ∞       0.500
像面            ∞
非球面データ
第３面
Ｋ＝-3.0000e+001，Ａ４＝-2.1351e-003，Ａ６＝-1.7353e-004，Ａ８＝1.1791e-005，Ａ１０＝8.6785e-007，Ａ１２＝-6.5507e-008
第４面
Ｋ＝-2.0727e+000，Ａ４＝1.6966e-001，Ａ６＝-8.9161e-002，Ａ８＝2.0913e-002，Ａ１０＝-1.4759e-003，Ａ１２＝-1.0723e-004
第５面
Ｋ＝0.0000e+000，Ａ４＝2.0822e-004，Ａ６＝-2.4385e-002，Ａ８＝6.2483e-003，Ａ１０＝9.1390e-004，Ａ１２＝-6.6165e-004
第６面
Ｋ＝0.0000e+000，Ａ４＝1.6334e-002，Ａ６＝5.5332e-003，Ａ８＝-7.8608e-003，Ａ１０＝1.1285e-003，Ａ１２＝2.4314e-004
第８面
Ｋ＝0.0000e+000，Ａ４＝-7.7296e-002，Ａ６＝8.5276e-002，Ａ８＝-6.4871e-002，Ａ１０＝2.4873e-002，Ａ１２＝-4.1132e-003
第９面
Ｋ＝-2.0000e+000，Ａ４＝-2.8534e-002，Ａ６＝2.7877e-002，Ａ８＝9.9006e-004，Ａ１０＝-4.0566e-003，Ａ１２＝6.9885e-004
各種データ
焦点距離        0.905
Ｆナンバ        2.789
半画角        104.349
像高            2.068
レンズ全長    12.512
ＢＦ            1.363
以上のようなレンズ配置、構成のもとでの、実施例１５の広角光学系１Ｏにおける球面収差（正弦条件）、非点収差および歪曲収差を図５２に左から右へ順にそれぞれ示し、横収差を図５３に示す。
［実施例１６］
図２１は、実施例１６の広角光学系におけるレンズ群の配列を示す断面図である。図５４および図５５は、実施例１６の広角光学系におけるレンズ群の収差図である。【０１９２】
実施例１６の広角光学系１Ｐは、図２１に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１９３】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１９４】
実施例１６の広角光学系１Ｐにおける、各レンズのコンストラクションデータを以下に示す。【０１９５】
数値実施例１６
単位  ｍｍ
面データ
面番号          ｒ        ｄ        ｎｄ        νｄ
物面            ∞        ∞
１          14.951      1.400      1.80420      46.49
２            4.018      3.116
３＊        15.445      1.000      1.53048      55.72
４＊          0.996      1.356
５＊          1.856      1.801      1.60280      28.30
６＊        -4.704      0.537
７（絞り）      ∞       0.758
８＊          3.403      1.510      1.53048      55.72
９＊        -1.756      0.500
１０            ∞       0.500      1.51680      64.20
１１            ∞       0.500
像面            ∞
非球面データ
第３面
Ｋ＝-2.9172e+001，Ａ４＝-2.8984e-003，Ａ６＝-1.9962e-004，Ａ８＝1.2592e-005，Ａ１０＝9.2223e-007，Ａ１２＝-5.2269e-008
第４面
Ｋ＝-2.0000e+000，Ａ４＝1.6709e-001，Ａ６＝-8.9139e-002，Ａ８＝2.0888e-002，Ａ１０＝-1.5288e-003，Ａ１２＝-8.6482e-005
第５面
Ｋ＝0.0000e+000，Ａ４＝8.1748e-004，Ａ６＝-2.3735e-002，Ａ８＝5.8736e-003，Ａ１０＝9.5558e-004，Ａ１２＝-6.1595e-004
第６面
Ｋ＝0.0000e+000，Ａ４＝1.9053e-002，Ａ６＝6.2215e-003，Ａ８＝-8.4784e-003，Ａ１０＝1.5257e-003，Ａ１２＝1.8851e-004
第８面
Ｋ＝0.0000e+000，Ａ４＝-6.9402e-002，Ａ６＝7.8209e-002，Ａ８＝-6.7923e-002，Ａ１０＝2.7912e-002，Ａ１２＝-4.4255e-003
第９面
Ｋ＝-2.0000e+000，Ａ４＝-1.9873e-002，Ａ６＝2.9005e-002，Ａ８＝-1.7074e-003，Ａ１０＝-4.7814e-003，Ａ１２＝1.1174e-003
各種データ
焦点距離        0.880
Ｆナンバ        2.784
半画角        104.051
像高            2.068
レンズ全長    12.839
ＢＦ            1.362
以上のようなレンズ配置、構成のもとでの、実施例１６の広角光学系１Ｐにおける球面収差（正弦条件）、非点収差および歪曲収差を図５４に左から右へ順にそれぞれ示し、横収差を図５５に示す。
［実施例１７］
図２２は、実施例１７の広角光学系におけるレンズ群の配列を示す断面図である。図５６および図５７は、実施例１７の広角光学系におけるレンズ群の収差図である。【０１９６】
実施例１７の広角光学系１Ｑは、図２２に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面であり、例えばプラスチックなどの樹脂材料製レンズである。【０１９７】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０１９８】
実施例１７の広角光学系１Ｑにおける、各レンズのコンストラクションデータを以下に示す。【０１９９】
数値実施例１７
単位  ｍｍ
面データ
面番号          ｒ        ｄ        ｎｄ        νｄ
物面            ∞        ∞
１          13.082      1.200      1.83481      42.72
２            3.673      2.511
３＊          2.971      1.000      1.53048      55.72
４＊          0.731      0.877
５＊          1.892      1.845      1.58340      30.23
６＊        -3.516      0.620
７（絞り）      ∞       0.504
８＊          6.123      1.444      1.53048      55.72
９＊        -0.964      0.900
１０            ∞       0.500      1.51680      64.20
１１            ∞       0.100
像面            ∞
非球面データ
第３面
Ｋ＝-3.0000e+001，Ａ４＝-1.7303e-002，Ａ６＝2.4328e-003，Ａ８＝-2.5632e-004，Ａ１０＝1.2614e-005
第４面
Ｋ＝-1.0000e+000，Ａ４＝5.1358e-003，Ａ６＝-7.2334e-002，Ａ８＝2.5766e-002，Ａ１０＝-2.9839e-003
第５面
Ｋ＝0.0000e+000，Ａ４＝6.3485e-002，Ａ６＝-6.7401e-002，Ａ８＝2.5268e-002，Ａ１０＝-3.8803e-003
第６面
Ｋ＝0.0000e+000，Ａ４＝3.8928e-002，Ａ６＝-9.3930e-003，Ａ８＝5.3611e-003，Ａ１０＝-3.7946e-003
第８面
Ｋ＝0.0000e+000，Ａ４＝-1.2350e-001，Ａ６＝1.7733e-001，Ａ８＝-1.9928e-001，Ａ１０＝9.4716e-002
第９面
Ｋ＝-2.0000e+000，Ａ４＝-1.2320e-001，Ａ６＝1.2257e-001，Ａ８＝-7.1889e-002，Ａ１０＝1.8416e-002
各種データ
焦点距離        0.754
Ｆナンバ        2.803
半画角        102.336
像高            1.700
レンズ全長    11.350
ＢＦ            1.350
以上のようなレンズ配置、構成のもとでの、実施例１７の広角光学系１Ｑにおける球面収差（正弦条件）、非点収差および歪曲収差を図５６に左から右へ順にそれぞれ示し、横収差を図５７に示す。
［実施例１８］
図２３は、実施例１８の広角光学系におけるレンズ群の配列を示す断面図である。図５８および図５９は、実施例１８の広角光学系におけるレンズ群の収差図である。【０２００】
実施例１８の広角光学系１Ｒは、図２３に示すように、物体側から像側へ順に、物体側に凸の負メニスカスレンズ（第１レンズＬ１）と、物体側に凸の負メニスカスレンズ（第２レンズＬ２）と、両凸の正レンズ（第３レンズＬ３）と、開口絞りＳＴと、両凸の正レンズ（第４レンズＬ４）とから構成されて成る負負正正の４成分構成である。これら第２ないし第４レンズＬ２〜Ｌ４は、それぞれ、両面が非球面である。これら第２および第４レンズＬ２、Ｌ４は、それぞれ、例えばプラスチックなどの樹脂材料製レンズである。【０２０１】
そして、第４レンズＬ４の像側には、フィルタとしての平行平板ＦＴを介して撮像素子ＳＲの受光面が配置されている。平行平板ＦＴは、各種光学フィルタや撮像素子のカバーガラス等である。【０２０２】
実施例１８の広角光学系１Ｒにおける、各レンズのコンストラクションデータを以下に示す。【０２０３】
数値実施例１８
単位  ｍｍ
面データ
面番号          ｒ        ｄ        ｎｄ        νｄ
物面            ∞        ∞
１          15.904      1.400      1.88300      40.81
２            4.450      2.690
３＊        -93.715      1.000      1.53048      55.72
４＊          1.037      1.060
５＊          2.407      1.433      2.00170      20.64
６＊        150.420      0.643
７（絞り）      ∞       0.539
８＊          2.865      1.747      1.53048      55.72
９＊        -1.239      0.500
１０            ∞       0.500      1.51680      64.20
１１            ∞       0.500
像面            ∞
非球面データ
第３面
Ｋ＝-5.0000e+000，Ａ４＝7.2028e-005，Ａ６＝-4.7541e-005，Ａ８＝-4.9807e-006，Ａ１０＝1.0917e-006，Ａ１２＝-4.1925e-008
第４面
Ｋ＝-2.6295e+000，Ａ４＝1.6884e-001，Ａ６＝-9.2907e-002，Ａ８＝2.4144e-002，Ａ１０＝-1.4670e-003，Ａ１２＝-2.3485e-004
第５面
Ｋ＝0.0000e+000，Ａ４＝-6.6165e-003，Ａ６＝-8.9634e-003，Ａ８＝1.1261e-003，Ａ１０＝1.8961e-003，Ａ１２＝-5.1884e-004
第６面
Ｋ＝0.0000e+000，Ａ４＝-6.0750e-003，Ａ６＝-4.9882e-004，Ａ８＝1.9403e-002，Ａ１０＝-1.4315e-002，Ａ１２＝2.7769e-003
第８面
Ｋ＝0.0000e+000，Ａ４＝-9.7847e-002，Ａ６＝1.3276e-001，Ａ８＝-1.0979e-001，Ａ１０＝4.5566e-002，Ａ１２＝-7.8168e-003
第９面
Ｋ＝-2.0000e+000，Ａ４＝-9.8150e-003，Ａ６＝-9.7246e-003，Ａ８＝2.4119e-002，Ａ１０＝-9.2684e-003，Ａ１２＝1.0023e-003
各種データ
焦点距離        0.855
Ｆナンバ        2.785
半画角        103.981
像高            2.068
レンズ全長    11.873
ＢＦ            1.362
以上のようなレンズ配置、構成のもとでの、実施例１８の広角光学系１Ｒにおける球面収差（正弦条件）、非点収差および歪曲収差を図５８に左から右へ順にそれぞれ示し、横収差を図５９に示す。【０２０４】
上記に列挙した実施例１〜１８の変倍光学系１Ａ〜１Ｒに、上述した条件式（１）〜（１９）を当てはめた場合のそれぞれの数値を、表１および表２に示す。【０２０５】
【表１】
2009066532.tif 000003
【０２０６】
【表２】
2009066532.tif 000004
【０２０７】
以上、説明したように、上記実施例１〜１８における広角光学系１Ａ〜１Ｒは、本発明に係る要件を満足している結果、より良好な光学性能を有し、そして、デジタル機器に搭載する上で、特に車載用のモニタカメラや携帯端末等に搭載する上で小型化が充分に達成され、低廉化が可能である。また、上記実施例１〜１８における広角光学系１Ａ〜１Ｒは、特に全画角１８０度以上、より具体的には２００度以上の超広角化が達成可能である。【０２０８】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求の範囲の権利範囲を離脱するレベルのものでない限り、当該変更形態または当該改良形態は、当該請求の範囲の権利範囲に包括されると解釈される。
【図３】
2009066532.tif 000005
【図２４】
2009066532.tif 000006
【図２５】
2009066532.tif 000007
【図２６】
2009066532.tif 000008
【図２７】
2009066532.tif 000009
【図２８】
2009066532.tif 000010
【図２９】
2009066532.tif 000011
【図３０】
2009066532.tif 000012
【図３１】
2009066532.tif 000013
【図３２】
2009066532.tif 000014
【図３３】
2009066532.tif 000015
【図３４】
2009066532.tif 000016
【図３５】
2009066532.tif 000017
【図３６】
2009066532.tif 000018
【図３７】
2009066532.tif 000019
【図３８】
2009066532.tif 000020
【図３９】
2009066532.tif 000021
【図４０】
2009066532.tif 000022
【図４１】
2009066532.tif 000023
【図４２】
2009066532.tif 000024
【図４３】
2009066532.tif 000025
【図４４】
2009066532.tif 000026
【図４５】
2009066532.tif 000027
【図４６】
2009066532.tif 000028
【図４７】
2009066532.tif 000029
【図４８】
2009066532.tif 000030
【図４９】
2009066532.tif 000031
【図５０】
2009066532.tif 000032
【図５１】
2009066532.tif 000033
【図５２】
2009066532.tif 000034
【図５３】
2009066532.tif 000035
【図５４】
2009066532.tif 000036
【図５５】
2009066532.tif 000037
【図５６】
2009066532.tif 000038
【図５７】
2009066532.tif 000039
【図５８】
2009066532.tif 000040
【図５９】
2009066532.tif 000041
【図１】
2009066532.tif 000042
【図２】
2009066532.tif 000043
【図４】
2009066532.tif 000044
【図５】
2009066532.tif 000045
【図６】
2009066532.tif 000046
【図７】
2009066532.tif 000047
【図８】
2009066532.tif 000048
【図９】
2009066532.tif 000049
【図１０】
2009066532.tif 000050
【図１１】
2009066532.tif 000051
【図１２】
2009066532.tif 000052
【図１３】
2009066532.tif 000053
【図１４】
2009066532.tif 000054
【図１５】
2009066532.tif 000055
【図１６】
2009066532.tif 000056
【図１７】
2009066532.tif 000057
【図１８】
2009066532.tif 000058
【図１９】
2009066532.tif 000059
【図２０】
2009066532.tif 000060
【図２１】
2009066532.tif 000061
【図２２】
2009066532.tif 000062
【図２３】
2009066532.tif 000063
【国際調査報告】
2009066532.tif 000064
2009066532.tif 000065